(57)【要約】高精細テレビジョンビデオコンテンツ管理またはコピープロテクション方法と装置は、ＨＤＴＶ信号の１つ以上のチャネルの一部を一部変更することにより実現される。これらの一部変更は、一般的に、オーバースキャンされた部分に広がることができるブランキング期間で行われる。１つのバージョンで、その信号の一部変更は、コンテンツ制御システムのタグまたはトリガービットを規定する。この一部変更は、ＨＤＴＶ３レベル同期パルスに続き、ＨＤＴＶビデオチャネルの少なくとも１つで行われる。他のバージョンでは、３レベル同期パルスが一部変更され、（ビデオレコーダ等の受信装置の）ＡＧＣシステム等の基準検出回路に間違った出力を発生させる。任意的に、信号は一部変更された３レベル同期パルスに続いて付加または挿入される。他のバージョンでは、３レベル疑似同期パルスは、ブランキングまたはオーバースキャンされた期間に付加される。これらの３レベル疑似同期パルスは、非対称でもその後に信号が続いてもよい。さらに、上記の一部変更または信号または同期信号のいずれかを変調してもよい（例えば、振幅、位置、パルス幅）。また、一部変更プロセスの効果を低下させ結果を一部変更する無効化方法と装置を提供する。
2008519485.tif 000002
【特許請求の範囲】
【請求項１】
概してデジタルテレビジョン標準に準拠した、ブランキング期間と関連する３レベル同期パルスを有するビデオ信号を受信する段階と、  
少なくとも１つの３レベル同期パルスと関連する前記ビデオ信号の一部を一部変更する段階であって、前記一部変更したビデオ信号はその記録を阻止するか、その使用の制御に関する情報を担うものである段階とを有する、ビデオ信号の一部変更方法。  
【請求項２】
前記一部変更する段階は、少なくとも１つの３レベル同期パルスを一部変更することを含む、請求項１に記載の方法。  
【請求項３】
前記一部変更は、前記ビデオ信号の輝度チャネルまたは色差チャネルのうち少なくとも一方で行われる、請求項2に記載の方法。  
【請求項４】
前記一部変更する段階は、前記３レベル同期パルスのバックポーチの振幅を下げるまたは上げることを含む、請求項2に記載の方法。  
【請求項５】
前記一部変更する段階は、前記ビデオ信号のピークホワイトレベルの少なくとも２０％下にバックポーチの振幅を下げることを含む、請求項4に記載の方法。  
【請求項６】
前記一部変更する段階は、前記３レベル同期パルスの一部の振幅を変更してその正及び負の部分を非対称にすることを含む、請求項2に記載の方法。  
【請求項７】
前記一部変更する段階は、前記３レベル同期パルスの位置、振幅、または幅のうち少なくとも１つを変更することを含む、請求項2に記載の方法。  
【請求項８】
前記ビデオ信号中の複数の３レベル同期パルスを一部変更する段階であって、前記一部変更は前記ビデオ信号の異なるスキャンライン間で変化する段階をさらに有する、請求項2に記載の方法。  
【請求項９】
前記一部変更する段階は、前記ブランキング期間の少なくとも一部に少なくとも１つのパルスを加えることを含む、請求項１に記載の方法。  
【請求項１０】
前記加えたパルスは前記ビデオスキャンラインのアクティブビデオ部分に伸びる、請求項9に記載の方法。    
【請求項１１】
前記アクティブビデオ部分は前記ビデオ信号のフィールドのオーバースキャン部分である、請求項10に記載の方法。  
【請求項１２】
前記一部変更する段階は、前記３レベル同期パルスの位置の前または後ろに前記ブランキング期間中に前記パルスを付加することを含む、請求項9に記載の方法。  
【請求項１３】
前記一部変更する段階は、前記ビデオ信号の輝度チャネルまたは色度チャネルのうち少なくとも一方に前記パルスを付加することを含む、請求項9に記載の方法。  
【請求項１４】
前記付加されたパルスは正または負の部分を有する、請求項9に記載の方法。  
【請求項１５】
前記付加されたパルスは３レベル同期パルスの構成である、請求項9に記載の方法。  
【請求項１６】
前記一部変更する段階は、前記３レベル同期パルスのフロントポーチまたはバックポーチ部分に前記付加パルスを付加することを含む、請求項9に記載の方法。  
【請求項１７】
前記一部変更する段階は、複数のパルスを前記ブランキング期間に付加することを含む、請求項9に記載の方法。  
【請求項１８】
前記一部変更する段階は、複数のブランキング期間にパルスを付加することを含み、前記付加されるパルスの特性は前記ビデオ信号のスキャンライン間で変化する、請求項9に記載の方法。  
【請求項１９】
変化する特性は位置、振幅、幅、付加パルス数のうちの少なくとも１つである、請求項18に記載の方法。  
【請求項２０】
前記付加されたパルスはグレイレベルパルスであり、前記３レベル同期パルスのバックポーチ部分に付加される、請求項9に記載の方法。  
【請求項２１】
前記付加されたパルスは前記３レベル同期パルスの長さの１／３倍から２倍の長さである、請求項9に記載の方法。  
【請求項２２】
前記デジタルテレビジョン標準は高精細テレビジョン（ＨＤＴＶ）標準である、請求項１に記載の方法。  
【請求項２３】
前記標準は、７２０ラインプログレッシブスキャン（７２０ｐ）または１０８０ラインインターレーススキャン（１０８０ｉ）の一方である、請求項１に記載の方法。  
【請求項２４】
前記一部変更された部分は、前記ビデオ信号のコンテンツ管理の所定コマンドを少なくとも部分的に規定する、請求項１に記載の方法。    
【請求項２５】
前記一部変更された部分は、前記ビデオ信号を受信する装置の検出システムに間違った出力を発生させることにより前記ビデオ信号の記録を阻止する、請求項１に記載の方法。
【請求項２６】
前記一部変更された部分は前記ビデオ信号の少なくとも２つのチャネルである、請求項１に記載の方法。  
【請求項２７】
前記ビデオ信号の前記一部変更された部分への一部変更は前記ビデオ信号の前記２つのチャネルの間で異なる、請求項26に記載の方法。
【請求項２８】
前記一部変更された部分は、前記ビデオ信号の前記垂直ブランキング期間に隣接するアクティブビデオ中の前記ビデオ信号の所定スキャンラインにある、請求項１に記載の方法。  
【請求項２９】
概してデジタルテレビジョン標準に準拠する、水平スキャンラインのブランキング期間と関連する３レベル同期パルスを有するビデオ信号を受信する段階であって、少なくとも１つの３レベル同期パルスと関連する前記ビデオ信号の一部が一部変更される段階と、  
前記一部変更された部分は所定のコマンドを少なくとも部分的に規定し、  
前記コマンドに応じて前記ビデオ信号の使用を制御する段階とを有する、ビデオ信号のコピー制御方法。
【請求項３０】
前記一部変更された部分は、少なくとも１つの一部変更された３レベル同期パルスを含む、請求項29に記載の方法。  
【請求項３１】
前記一部された部分は、前記ビデオ信号の輝度チャネルまたは色差チャネルのうち少なくとも一方にある、請求項30に記載の方法。  
【請求項３２】
前記一部変更された部分は、前記３レベル同期パルスのバックポーチの下げられたまたは上げられた振幅を含む、請求項30に記載の方法。
【請求項３３】
前記一部変更された部分は、前記ビデオ信号のピークホワイトレベルの少なくとも２０％下にバックポーチの振幅を下げることを含む、請求項32に記載の方法。  
【請求項３４】
前記一部変更された部分は、その正及び負の部分を非対称にするために前記３レベル同期パルスの一部の変更された振幅を含む、請求項30に記載の方法。  
【請求項３５】
前記一部変更された部分は、前記３レベル同期パルスの位置、振幅、または幅のうち少なくとも１つを変更することを含む、請求項30に記載の方法。    
【請求項３６】
前記ビデオ信号中の複数の３レベル同期パルスを一部変更する段階であって、前記一部変更は前記ビデオ信号の一部変更されたスキャンライン間で変化する段階をさらに有する、請求項30に記載の方法。
【請求項３７】
前記一部変更された部分は、前記ブランキング期間の少なくとも一部に加えられた少なくとも１つのパルスを含む、請求項29に記載の方法。
【請求項３８】
前記加えたパルスは前記ビデオ信号ラインのアクティブビデオ部分に伸びる、請求項37に記載の方法。  
【請求項３９】
前記アクティブビデオ部分は前記ビデオ信号のフィールドのオーバースキャン部分である、請求項38に記載の方法。
【請求項４０】
前記一部変更された部分は、前記３レベル同期パルスの位置の前または後ろに付加された前記パルスを含む、請求項37に記載の方法。
【請求項４１】
前記一部された部分は、前記ビデオ信号の輝度チャネルまたは色度チャネルのうち少なくとも一方に付加された前記パルスを含む、請求項37に記載の方法。
【請求項４２】
前記付加されたパルスは正または負の部分を有する、請求項37に記載の方法。
【請求項４３】
前記付加されたパルスは３レベル同期パルスの構成である、請求項37に記載の方法。
【請求項４４】
前記一部変更された部分は、前記３レベル同期パルスのフロントポーチまたはバックポーチ部分の前記付加パルスを含む、請求項37に記載の方法。
【請求項４５】
前記一部変更された部分は、前記ブランキング期間に付加された複数のパルスを含む、請求項37に記載の方法。
【請求項４６】
前記一部変更された部分は、複数のブランキング期間に付加されたパルスを含み、前記付加されたパルスの特性は前記ビデオ信号のスキャンライン間で変化する、請求項37に記載の方法。
【請求項４７】
変化する特性は位置、振幅、幅、付加パルス数のうちの少なくとも１つである、請求項46に記載の方法。
【請求項４８】
前記付加されたパルスはグレイレベルパルスであり、前記３レベル同期パルスのバックポーチ部分に付加される、請求項37に記載の方法。  
【請求項４９】
前記付加されたパルスは前記３レベル同期パルスの長さの１／３倍から２倍の長さである、請求項48に記載の方法。
【請求項５０】
前記デジタルテレビジョン標準は高精細テレビジョン（ＨＤＴＶ）標準である、請求項29に記載の方法。
【請求項５１】
前記標準は、７２０ラインプログレッシブスキャン（７２０ｐ）または１０８０ラインインターレーススキャン（１０８０ｉ）の一方である、請求項29に記載の方法。
【請求項５２】
前記一部変更された部分は、前記ビデオ信号のコンテンツ管理の所定コマンドを少なくとも部分的に規定する、請求項29に記載の方法。
【請求項５３】
前記一部変更された部分は、前記ビデオ信号を受信する装置の検出システムに間違った出力を発生させることにより前記ビデオ信号の記録を阻止する、請求項29に記載の方法。
【請求項５４】
前記一部変更された部分は前記ビデオ信号の少なくとも２つのチャネルである、請求項29に記載の方法。
【請求項５５】
前記ビデオ信号の前記一部変更された部分への一部変更は前記ビデオ信号の前記２つのチャネルの間で異なる、請求項54に記載の方法。
【請求項５６】
前記一部変更された部分は、前記ビデオ信号の前記垂直ブランキング期間に隣接するアクティブビデオ中の前記ビデオ信号の所定スキャンラインにある、請求項29に記載の方法。  
【請求項５７】
ビデオ信号を一部変更する装置であって、  
概してデジタルテレビジョン標準に準拠した、ブランキング期間と関連する３レベル同期パルスを有するビデオ信号を受信するように構成された入力ポートと、  
前記入力ポートに結合され、少なくとも１つの３レベル同期パルスと関連する前記ビデオ信号の一部を一部変更するプロセッサと、  
前記一部変更されたビデオ信号はその記録を阻止し、またはその使用の制御に関する情報を担い、  
前記一部変更されたビデオ信号を出力するように構成された出力ポートとを有する装置。
【請求項５８】
前記一部変更は、少なくとも１つの３レベル同期パルスを一部変更することを含む、請求項57に記載の装置。
【請求項５９】
概してデジタルテレビジョン標準に準拠した、ブランキング期間に３レベル同期パルスを有するビデオ信号を受信する段階であって、前記３レベル同期パルスと関連する前記ビデオ信号の一部が、そのビデオ信号の記録を阻止する、またはそのビデオ信号の使用の制御に関する情報を担うように変更される段階と、  
少なくとも前記３レベル同期パルスと関連する前記受信したビデオ信号の一部を、前記ビデオ信号の記録、またはその使用の制御に関する情報を変更するように一部変更する段階とを有する、ビデオ信号の一部変更方法。
【請求項６０】
前記一部変更する段階は、前に変更された前記３レベル同期パルスの少なくとも１つを一部変更することを含む、請求項59に記載の方法。
【請求項６１】
前記一部変更は、前記ビデオ信号の輝度チャネルまたは色差チャネルのうち少なくとも一方で行われる、請求項60に記載の方法。
【請求項６２】
前記一部変更する段階は、前記３レベル同期パルスのバックポーチの振幅を基準レベルに下げるまたは上げることを含む、請求項60に記載の方法。
【請求項６３】
前記一部変更する段階は、前記ビデオ信号のピークホワイトレベルの少なくとも２０％下から前記基準レベルにバックポーチの振幅を上げることを含む、請求項62に記載の方法。
【請求項６４】
前記一部変更する段階は、前記３レベル同期パルスの一部の振幅を変更してその正及び負の部分を対称にすることを含む、請求項63に記載の方法。
【請求項６５】
前記一部変更する段階は、前に変更された前記３レベル同期パルスの位置、振幅、または幅のうち少なくとも１つを基準レベルに変更することを含む、請求項60に記載の方法。
【請求項６６】
前記ビデオ信号中の前に変更された複数の３レベル同期パルスを一部変更する段階であって、前記変更は前記ビデオ信号の異なるスキャンライン間で変化する段階をさらに有する、請求項60に記載の方法。
【請求項６７】
前記一部変更する段階は、前記ブランキング期間にある少なくとも１つのパルスを削除または減衰することを含む、請求項59に記載の方法。
【請求項６８】
前記削除または減衰されたパルスは、前記削除または減衰の前に前記ビデオ信号スキャンラインのアクティブビデオ部分に伸びる、請求項67に記載の方法。    
【請求項６９】
前記アクティブビデオ部分は前記ビデオ信号のフィールドのオーバースキャン部分である、請求項68に記載の方法。
【請求項７０】
前記一部変更する段階は、前記３レベル同期パルスの位置の前または後ろに前記ブランキング期間中にある前記パルスを削除または減衰することを含む、請求項67に記載の方法。
【請求項７１】
前記一部変更する段階は、前記ビデオ信号の輝度チャネルまたは色度チャネルのうち少なくとも一方から前記パルスを削除または減衰することを含む、請求項67に記載の方法。
【請求項７２】
前記削除または減衰されたパルスは、前記削除または減衰の前に正または負である部分を有する、請求項67に記載の方法。
【請求項７３】
前記削除または減衰されたパルスは、前記削除または減衰の前に前記３レベル同期パルスの構成を有する、請求項67に記載の方法。
【請求項７４】
前記一部変更する段階は、前記３レベル同期パルスのフロントポーチまたはバックポーチ部分にあるパルスを削除または減衰することを含む、請求項67に記載の方法。
【請求項７５】
前記一部変更する段階は、前記ブランキング期間にある複数のパルスを削除または減衰することを含む、請求項67に記載の方法。
【請求項７６】
前記一部変更する段階は、複数の前記ブランキング期間にあるパルスを削除または減衰することを含み、前記削除または減衰されるパルスの特性は前記削除または減衰の前の前記ビデオ信号のスキャンラインの間で変化する、請求項67に記載の方法。
【請求項７７】
変化する特性は前記パルスの位置、振幅、幅、数のうちの少なくとも１つである、請求項76に記載の方法。  
【請求項７８】
前記削除または減衰されたパルスは、グレイレベルパルスであり、前記削除または減衰の前に前記３レベル同期パルスのバックポーチ部分にある、請求項67に記載の方法。
【請求項７９】
前記削除または減衰されたパルスの長さは、前記削除または減衰の前に前記３レベル同期パルスの長さの１／３から２倍である、請求項67に記載の方法。
【請求項８０】
前記デジタルテレビジョン標準は高精細テレビジョン（ＨＤＴＶ）標準である、請求項59に記載の方法。
【請求項８１】
前記標準は、７２０ラインプログレッシブスキャン（７２０ｐ）または１０８０ラインインターレーススキャン（１０８０ｉ）の一方である、請求項59に記載の方法。
【請求項８２】
前記受信されたビデオ信号の情報は、前記ビデオ信号のコンテンツ管理の所定コマンドを少なくとも部分的に規定する、請求項59に記載の方法。
【請求項８３】
前記ビデオ信号の記録の阻止は、前記ビデオ信号を受信する装置の検出システムに間違った出力を発生させることによる、請求項59に記載の方法。
【請求項８４】
前記ビデオ信号の変更された部分は前記ビデオ信号の少なくとも２つのチャネルである、請求項59に記載の方法。
【請求項８５】
前記ビデオ信号への変更は前記ビデオ信号の前記２つのチャネルの間で異なる、請求項84に記載の方法。
【請求項８６】
前記変更は、前記ビデオ信号の前記垂直ブランキング期間に隣接するアクティブビデオ中の前記ビデオ信号の所定スキャンラインにある、請求項59に記載の方法。
【請求項８７】
ビデオ信号を一部変更する装置であって、  
概してデジタルテレビジョン標準に準拠した、ブランキング期間と関連する３レベル同期パルスを有するビデオ信号を受信するように構成された入力ポートであって、前記３レベル同期パルスと関連するビデオ信号の一部は前に変更されている入力ポートと、  
前記入力ポートと結合し、少なくとも前記３レベル同期パルスと関連する前記受信したビデオ信号の一部を、前記ビデオ信号の記録、またはその使用の制御に関する情報を変更するように一部変更するプロセッサと、  
前記プロセッサと結合され、前記一部変更されたビデオ信号を出力するように構成された出力ポートとを有する装置。
【請求項８８】
前記一部変更は、前に変更された前記３レベル同期パルスの少なくとも１つの一部変更を含む、請求項87に記載の装置。
【請求項８９】
概してデジタルテレビジョン標準に準拠した、ブランキング期間に３レベル同期パルスを有するビデオ信号を受信する段階であって、前記３レベル同期パルスと関連する前記ビデオ信号の一部が、そのビデオ信号の記録を阻止する、またはそのビデオ信号の使用の制御に関する情報を担うように変更される段階と、  
少なくとも前記３レベル同期パルスと関連する前記受信したビデオ信号の一部を、前記ビデオ信号の記録、またはその使用の制御に関する情報を変更するように一部変更する段階とを有する、ビデオ信号の一部変更方法。
【請求項９０】
前記一部変更する段階は、前に変更された前記３レベル同期パルスの少なくとも１つを一部変更することを含む、請求項89に記載の方法。
【請求項９１】
前記一部変更は、前記ビデオ信号の輝度チャネルまたは色差チャネルのうち少なくとも一方で行われる、請求項90に記載の方法。  
【請求項９２】
前記一部変更する段階は、前記３レベル同期パルスのバックポーチの振幅を基準レベルに下げるまたは上げることを含む、請求項90に記載の方法。
【請求項９３】
前記一部変更する段階は、前記ビデオ信号のピークホワイトレベルの少なくとも２０％下から前記基準レベルにバックポーチの振幅を上げることを含む、請求項92に記載の方法。
【請求項９４】
前記一部変更する段階は、前記３レベル同期パルスの一部の振幅を変更してその正及び負の部分を対称にすることを含む、請求項92に記載の方法。
【請求項９５】
前記一部変更する段階は、前に変更された前記３レベル同期パルスの位置、振幅、または幅のうち少なくとも１つを基準レベルに変更することを含む、請求項90に記載の方法。
【請求項９６】
前記ビデオ信号中の前に主張された複数の３レベル同期パルスを一部変更する段階であって、前記変更は前記ビデオ信号の異なるスキャンライン間で変化する段階をさらに有する、請求項90に記載の方法。
【請求項９７】
前記一部変更する段階は、前記ブランキング期間にある少なくとも１つのパルスを削除または減衰することを含む、請求項89に記載の方法。
【請求項９８】
前記削除または減衰されたパルスは、前記削除または減衰の前に前記ビデオ信号スキャンラインのアクティブビデオ部分に伸びる、請求項97に記載の方法。
【請求項９９】
前記アクティブビデオ部分は前記ビデオ信号のフィールドのオーバースキャン部分である、請求項98に記載の方法。  
【請求項１００】
前記一部変更する段階は、前記３レベル同期パルスの位置の前または後ろに前記ブランキング期間中にある前記パルスを削除または減衰することを含む、請求項97に記載の方法。
【請求項１０１】
前記一部変更する段階は、前記ビデオ信号の輝度チャネルまたは色度チャネルのうち少なくとも一方から前記パルスを削除または減衰することを含む、請求項97に記載の方法。
【請求項１０２】
前記削除または減衰されたパルスは、前記削除または減衰の前に正または負である部分を有する、請求項97に記載の方法。
【請求項１０３】
前記削除または減衰されたパルスは、前記削除または減衰の前に前記３レベル同期パルスの構成を有する、請求項97に記載の方法。  
【請求項１０４】
前記一部変更する段階は、前記３レベル同期パルスのフロントポーチまたはバックポーチ部分にあるパルスを削除または減衰することを含む、請求項97に記載の方法。
【請求項１０５】
前記一部変更する段階は、前記ブランキング期間にある複数のパルスを削除または減衰することを含む、請求項97に記載の方法。
【請求項１０６】
前記一部変更する段階は、複数の前記ブランキング期間にあるパルスを削除または減衰することを含み、前記削除または減衰されるパルスの特性は前記削除または減衰の前の前記ビデオ信号のスキャンラインの間で変化する、請求項97に記載の方法。
【請求項１０７】
変化する特性は前記パルスの位置、振幅、幅、数のうちの少なくとも１つである、請求項106に記載の方法。
【請求項１０８】
前記削除または減衰されたパルスは、グレイレベルパルスであり、前記削除または減衰の前に前記３レベル同期パルスのバックポーチ部分にある、請求項97に記載の方法。  
【請求項１０９】
前記削除または減衰されたパルスの長さは、前記削除または減衰の前に前記３レベル同期パルスの長さの１／３から２倍である、請求項97に記載の方法。
【請求項１１０】
前記デジタルテレビジョン標準は高精細テレビジョン（ＨＤＴＶ）標準である、請求項89に記載の方法。
【請求項１１１】
前記標準は、７２０ラインプログレッシブスキャン（７２０ｐ）または１０８０ラインインターレーススキャン（１０８０ｉ）の一方である、請求項89に記載の方法。
【請求項１１２】
前記受信されたビデオ信号の情報は、前記ビデオ信号のコンテンツ管理の所定コマンドを少なくとも部分的に規定する、請求項89に記載の方法。
【請求項１１３】
前記ビデオ信号の記録の阻止は、前記ビデオ信号を受信する装置の検出システムに間違った出力を発生させることによる、請求項89に記載の方法。
【請求項１１４】
前記ビデオ信号の変更された部分は前記ビデオ信号の少なくとも２つのチャネルである、請求項89に記載の方法。
【請求項１１５】
前記ビデオ信号への変更は前記ビデオ信号の前記２つのチャネルの間で異なる、請求項114に記載の方法。
【請求項１１６】
前記変更は、前記ビデオ信号の前記垂直ブランキング期間に隣接するアクティブビデオ中の前記ビデオ信号の所定スキャンラインにある、請求項89に記載の方法。
【請求項１１７】
ビデオ信号を一部変更する装置であって、
概してデジタルテレビジョン標準に準拠した、ブランキング期間と関連する３レベル同期パルスを有するビデオ信号を受信するように構成された入力ポートであって、前記３レベル同期パルスと関連するビデオ信号の一部は前に変更されている入力ポートと、
前記入力ポートと結合し、少なくとも前記３レベル同期パルスと関連する前記受信したビデオ信号の一部を、前記ビデオ信号の記録、またはその使用の制御に関する情報を変更するように一部変更するプロセッサと、
前記一部変更されたビデオ信号を出力するように構成された出力ポートとを有する装置。
【請求項１１８】
前記一部変更は、前に変更された前記３レベル同期パルスの少なくとも１つの一部変更を含む、請求項117に記載の装置。
【発明の詳細な説明】
【技術分野】
【０００１】
本発明は、ビデオに関し、より具体的には高精細テレビジョンに関し、より具体的にはコピー制御を含む高精細テレビジョンのためのコンテンツ管理に関する。
【背景技術】
【０００２】
米国では高精細テレビジョン（ＨＤＴＶ）が商業的に投入されつつある。多数の米国のテレビ局は、高精細テレビジョン番組を放送し、消費者はＨＤＴＶ受信装置を入手することができる。ＨＤＴＶはデジタルテレビジョン（ＤＴＶ）の一種である。すなわち、信号はデジタル方式で送信されるので、特殊な受信器が必要である。２つのＨＤＴＶフォーマットが米国では承認され、１０８０ｉと７２０ｐと呼ばれている。１０８０ｉは１０８０本のビデオスキャンラインを有し、各ビデオスキャンラインは水平１９２０画素を有するテレビ画像をいう。「ｉ」は従来のアナログ（ＮＴＳＣ、ＰＡＬ、ＳＥＣＡＭ）テレビジョンで使用されているインターレーススキャンを指す。インターレーススキャンでは、各フレームの奇数ラインと偶数ラインが交互に送られ、フレームを形成する。７２０ｐフォーマットは７２０本の垂直ラインを有し、各々が水平方向に１２８０画素を有する画像を提供する。「ｐ」はコンピュータのディスプレイで使用されるプログレッシブスキャンを指す。ＨＤＴＶは標準的なアナログ（米国ではＮＴＳＣ）のテレビジョンを代替するものである。ＨＤＴＶは、米国以外の国でも始まっており、アナログテレビジョンの場合と同様ではあるが、国やそのグループごとに幾分異なるＨＤＴＶフォーマットが採用されており、例えば、フレームレートが異なっている。ここでデジタルテレビは特定のテレビジョンフォーマットを指し、いわゆるデジタルケーブルテレビジョンと同一ではない。デジタルテレビ（この意味では実際にはデジタル放送テレビジョン）では、デジタルフォーマットで放送するテレビジョンの１８のフォーマットが（米国では）決められている。ＨＤＴＶはその１８フォーマットのうちの６つである。米国の連邦通信委員会（ＦＣＣ）は、米国のすべての放送事業者が２００６年５月までにアナログテレビジョンに替えてデジタルテレビジョンを放送するように命じた。
【０００３】
よく知られているように、アナログ（例えば、ＮＴＳＣ）テレビジョンでは、各ビデオ（水平）スキャンラインは、いわゆる水平同期パルスを含む水平ブランキング期間を含んでいる。水平ブランキング期間の間には、いわゆるアクティブビデオがある。各ビデオフィールドの終わりにも垂直ブランキング期間が含まれる。ブランキング期間は画像のタイミング信号の供給と、レシーバの動作とに使用される。アナログテレビジョンの水平同期パルスには、よく知られているように、水平同期パルスのすぐ前にあるいわゆるフロントポーチと、水平同期パルスのすぐ後にあるいわゆるバックポーチとが含まれる。ＮＴＳＣ、ＰＡＬ、ＳＥＣＡＭ等のアナログテレビジョンでは、水平バックポーチはカラータイミング基準信号であるカラーバーストを含む。
【０００４】
垂直ブランキング領域は、アナログテレビジョンの水平ブランキング期間よりかなり長く、時間的には多数の水平スキャンラインと同じ長さがある。垂直ブランキング期間は、比較的長い垂直同期パルスと、その後に続くいくつかのいわゆる等化パルスを含む。アナログテレビジョンでは、水平同期パルスのレベルは２つだけである。１つはゼロ振幅パルスすなわちブランキングレベルに対応し、他方は同期チップレベル（sync  tip  level）の低振幅パルスである。しかし、ＨＤＴＶの場合、同期パルスの第３のレベルが追加的に定義されており、いわゆる３レベル水平同期パルスとなる。これに含まれるのは、最初の低い負のパルス（例えば、同期チップレベル）と、それに続く高い正のパルスであり、このパルスはブランキングレベルと交差する。このように、低レベル、高レベル、ブランキングレベルの３つがある。３レベル同期パルスの正パルスはブランキングレベルよりも高い。よって、ＨＤＴＶでは、３レベル同期パルスは、米国で規定されたように標準として使用されており、他国でも使用されている。一般的にＨＤＴＶは３つのチャネルを含み、コンポジットビデオの一種であることに留意せよ。これらのチャネルは、例えばＹ（輝度）、Ｐｂ及びＰｒ（色差）と呼ばれる。Ｐｂ及びＰｒは色差チャネルである。Ｙ（輝度）チャネルは緑チャネルと呼ばれることもあり、Ｐｂは青チャネルと呼ばれることもあり、Ｐｒは赤チャネルと呼ばれることもある。もちろん他のタイプの複数チャネルビデオシステムを使用することもできる。
【０００５】
ＨＤＴＶにおける信号伝送はデジタルであるが、信号処理の大部分は実際にはアナログ領域で行われ、アナログテレビジョン信号を表すアナログ波形と同じようにＨＤＴＶのビデオ信号波形を表すことが慣例であることに留意せよ。ここでもその慣例に従う。
【０００６】
ＨＤＴＶで使用される３レベル同期パルスの一例では、ブランキングレベルはゼロであり、負の部分は−０．３ボルトであり、正の部分は＋０．３ボルトであり、その後にバックポーチ領域が続き、次にアクティブビデオ部分が続く。アナログテレビジョンとまったく同じように、この３レベル水平同期パルスはすべてのスキャンラインで繰り返され、高精細ビデオフレーム全体を作っている。高ＨＤＴＶでは同期と同期喪失がアナログテレビジョンとは少し異なる。アナログテレビジョンでは、同期喪失によりスクリーン上の画像は回転し歪んでしまい、ＴＶセットは再度同期をかけようと試みる。しかし、高精細テレビジョンレシーバは基本的にデジタル装置であり、その動作は異なる。同期が失われると、一例では、スクリーン上では画像に緑色のフラッシュが表示され、継続的に同期が失われると一連の緑色のフレームが表示される。他の例では、ＨＤＴＶで同期が失われるとディスプレイが表示されなくなる。
【０００７】
また、いわゆるコンテンツ管理もアナログビデオ及びテレビジョンの分野では周知であり、その一態様はコピープロテクションである。コピープロテクションの例が特許文献１及び特許文献２に開示されており、両文献はここにその全体を参照援用する。[特許文献１]国特許第４，６３１，６０３号公報（発明者Ｒｙａｎ）[特許文献２]米国特許第４，５７７，２１６号公報（発明者Ｒｙａｎ）概略として、これらの文献はビデオ信号から満足のいくビデオレコーディングを阻止するビデオ信号処理方法及び装置を開示している。これらのコピープロテクションプロセスを破ることも知られている。例えば特許文献３を参照せよ。この文献はここにその全体を参照援用する。[特許文献３]米国特許４，６９５，９０１号公報（発明者Ｒｙａｎ）他に、ビデオ信号の一部変更のクラスタリングを用いる、満足のいくビデオレコーディングの阻止方法が特許文献４に開示されている。[特許文献４]米国特許４，８１９，０９８号公報（発明者Ｒｙａｎ）一般的にこれらのコピープロテクション方法及び装置は、標準のビデオ信号を一部変更して、ディスプレイ装置（テレビセットまたはモニター）には容易に表示できるが、ビデオテープレコーダ等のビデオレコーダに供給されると、そのレコーダによる作られるコピーを歪め、後で見たときに満足のいかないコピーとなるようにする。ここで、コピープロテクションには、従来の記録装置を用いてコピーを作った時に、従来のディスプレイではそのコピーが見られないか見られても品質がよくないようにする技術手段を含む。
【０００８】
コンテンツ管理の分野には、受信したビデオ信号中に所定の信号があること、またはそれがないことを検出する回路を含むいわゆる準拠装置も含まれる。特定の信号があること（またはそれがないこと）は、受信装置に対してレコーディングを可能とする、または阻止するコマンドとして機能する。場合によっては、これは世代的なコピー管理を含み、第１世代のコピーはできるが、その後の世代のコピーは防止される。例えば、ＤＶＤ等の媒体に記録されたビデオのためのシステム等を開示している特許文献５を参照せよ。[特許文献５]米国特許第６，７０１，０６２号（発明者Ｔａｌｓｔｒａ等）かかるコピー管理はＤＶＤ等のビデオ媒体に使用されるタイプのデジタルビデオ信号に適用可能である。これらの高度なコピーコントロールシステムは、一般的には、コンテンツ管理を目的としてビデオ信号に設けられた特殊なデータを検出及び解釈する専用回路及び／またはソフトウェアを受信装置に必要とする。
【０００９】
しかし、これらの方法はＨＤＴＶに関するものではなく、ついでに言えば、デジタル放送テレビジョンに関するものでもない。この場合、もちろん、放送は従来の放送だけでなく、ケーブル放送、衛星放送等も含む。これらの方法はどれもＨＤＴＶビデオ信号の具体的な構成やＨＤＴＶの例えばアナログテレビ信号との違いを示していない。
【特許文献１】米国特許第４，６３１，６０３号明細書
【特許文献２】米国特許第４，５７７，２１６号明細書
【特許文献３】米国特許第４，６９５，９０１号明細書
【特許文献４】米国特許第４，８１９，０９８号明細書
【特許文献５】米国特許第６，７０１，０６２号明細書
【００１０】
[発明の開示]
一実施形態では、コンテンツ制御またはコピープロテクションを目的として、タグ信号またはトリガービットがＨＤＴＶビデオ中の少なくとも３レベル同期パルスに続いて付加または挿入される例えば、輝度（Ｙ）チャネル等のＨＤＴＶビデオチャネルの１つにおいて、所定数のパルスが垂直ブランキング期間に付加され、コンテンツ制御を目的とする準拠装置に対するコマンドを画成する。さらに、色度（Ｐｂ及び／またはＰｒ）等の他のビデオチャネル中の所定数のパルスもコンテンツ制御のための情報（コマンド）を担ってもよい。
【００１１】
ここで、典型的な付加信号は少なくとも１つのパルスである。例えば、Ｙチャネルにおいて、付加信号は３レベル同期パルスのフロントポーチ領域及び／またはバックポーチ領域にある正のパルスである。  例えば、ＰｂまたはＰｒチャネルにおいて、付加信号は正のパルス及び／または負のパルスを含む。特に、ＰｂまたはＰｒチャネルにおいて、ブランキングレベルは最大電圧範囲の５０％であり（これに対してＹチャネルでは０％である）、フロントポーチ領域及びバックポーチ領域は正のパルスまたは負のパルスを担うことができる。また、付加信号は連続サイクル（burst  of  cycles）を含んでもよい。サイクル数、それらの位相、長さ、及び／または周波数に応じて、コンテンツ制御情報が伝送される。  
上記の信号とパルスはさらに変調されてもよい。かかる変調は、コンテンツ制御のためのコマンドを画成する情報を担うことにより、コンテンツ制御方法の一部になり得る。そのコマンドは、ビデオレコーダ等の準拠装置中の好適な回路及び／またはソフトウェアにより解釈（デコード）され、そのビデオコンテンツの使用（subsequent  use）を制御する。コンテンツ制御の例には、一組の「疑似」（例えば、ＨＤＴＶ標準によるとない）３レベル同期パルスの付加がある。この疑似３レベル同期パルスは、準拠（特別に適応された）ビデオレコーダにより受信されると、そのビデオレコーダにそのビデオを記録しないように命じる。コンテンツ制御の他の例として、世代ベースのコピーの制御のためのＣＧＭＳ（コピー世代管理システム）がよく知られている。かかるコンテンツ制御には、ビデオコンテンツのサプライヤ（例えば、ＤＶＤベンダー、放送または信号分配施設等）と準拠機器の製造者（例えば、ビデオレコーダメーカー、ＰＶＲ、インターフェイス装置等）の間の協力が必要である。
【００１２】
さらに別の実施形態では、ＨＤＴＶ３レベル同期パルスの一部が一部変更される。例えば、３レベル同期パルスの正（または負）の部分のレベルが変更される。かかる例のとしては、３レベル同期パルスの少なくとも正（または負）のパルスの一部の振幅を下げるまたは上げることが挙げられる。どの３レベル同期パルスが一部変更されるか、及び／またはその３レベル同期パルスの一部変更された部分のレベルに応じて、情報がコンテンツ管理制御システムに伝えられ、または少なくともコピープロテクション信号の一部が発生される。留意すべきことは、１つ以上の所定の３レベル同期パルスの負及び／または正の部分の位置及び／またはパルス幅が変更されてもよいことである。この種の一部変更はコンテンツ制御システムのための情報を伝え、またはコピープロテクション信号の少なくとも一部として使用される。この場合、コピープロテクションは、標準のビデオ信号を変更して従来の受信装置（ビデオレコーダ等）がそのビデオの有用なコピーを技術的にできないようにする、ビデオ分野における上記の周知技術をさす。この場合、コピープロテクションは準拠ビデオレコーダ（またはその他の準拠受信装置）やそれへの特別な適応を必要としない。
【００１３】
さらに別の実施形態では、コンテンツ制御及び／またはコピープロテクションに有用なように、ビデオ信号を一部変更して、ビデオ信号の基準部分（reference  portions）を検出するダウンストリーム（受信）機器に間違った結果を与える。かかる基準部分には、3レベル同期パルスの正のパルス及び／またはそれに続くバックポーチ領域の振幅に対する一部変更が含まれる。例えば、所定のスキャンラインにおいて、３レベル同期パルスの正のパルスのレベルを上げ、及び／またはバックポーチ領域の少なくとも一部にパルス（信号または波形）を付加することにより、受信装置（例えば、ビデオレコーダ、ビデオ信号配信ネットワーク、ビデオ信号トランスミッタ）のＡＧＣ（自動利得制御）システムに影響を与え得るが、ビデオ表示装置には最小限の効果しか及ぼさない。さらにまた、３レベル疑似同期パルスまたは一部変更された部分を有する３レベル同期パルスの付加または挿入により、コピープロテクションまたはコンテンツ制御信号を画成することができる。上記の通り、疑似同期はここでは、アナログテレビの分野において周知のプロセスをいう。この３レベルのパルスを付加した信号には、そのパルスに続けて疑似同期パルスを付加してもよい。
【００１４】
ＨＤＴＶにおいてビデオの３チャネル（Ｙ、Ｐｂ、Ｐｒ）まで、その付加パルスを各チャネルに依存して、または独立に変調またはイネーブルすることが可能である。例えば、チャネルを独立に変調またはイネーブル（enable）すると、再生時にいやな効果を発揮してコピープロテクション効果をスピードアップする点で有利である。例えば、ＡＧＣの時定数が約０．５秒（２Ｈｚ）である場合、チャネル間に多重化した付加パルスを「カスケード」または変調することにより、Ｙ、Ｐｂ、Ｐｒチャネル（例えば、画像全体）で６Ｈｚのレートで効果的に再生をふらつかせることができ、より効果的なコピープロテクションとなる。もちろん、パルスや波形を他の周波数で変調してもよい。話は変わるが、ＨＤＴＶディスプレイ等の一部のコンポーネントモニターでは、Ｙチャネルの同期信号をシフトするとディスプレイの電源が切れることが分かっている。よって、例えば他の色度チャネルに対してＹチャネルを時間的にシフトすることにより、ディスプレイ制御システムに一部のモニターのスイッチを切る、または見ても分からない画像を表示させることが可能である。通常の動作に戻すには、Ｙチャネルの少なくとも一部を時間的に戻し（shift  back）し、または色度チャネルの少なくとも一部を時間的にシフトして、見られる画像を表示させる。
【００１５】
いかなる形の３レベル疑似同期パルス、またはそれ（例えば、３レベル同期信号または同期信号）に続く信号または波形を使用してコンテンツ制御をしてもよい。市販されているＨＤモニターでの実験において、オーバースキャン領域は、一部のＴＦＴ（薄膜トランジスタ）モニタディスプレイの場合２０水平スキャンライン、一部のＣＲＴ（陰極線管）モニタディスプレイの場合３０スキャンラインであることが分かった。これは、上記の一部変更を垂直ブランキング領域の外側のビデオスキャンライン（例えば、ビデオフィールドのアクティブ部分または所定の水平ブランキング期間）で行ってもよいことを意味する。（ビデオフィールドのオーバースキャンは、画像の上部または下部、または画像の左側または右側の部分であるために、テレビセットまたはモニタにより表示されないアクティブビデオスキャンラインをいう。）
また、上記の信号は位置分離変調、パルス幅変調、周波数変調、位相変調、及び／または振幅変調を含んでもよい。また、上記の信号は、ライアン（Ryan）等の米国特許第５，６３３，９２７号公報にアナログテレビと同様に記載されたように、３レベル同期パルスのバック（またはフロント）ポーチ領域を下げることを含む。この文献は、ここにその全体を参照援用する。コピープロテクションのさらに別の実施形態では、（例えば、ＴｉＶｏタイプのパーソナルビデオレコーダや、ハードディスクドライブ等のデジタルビデオレコーダやＤＶＤレコーダやデジタルテープレコーダ）発明者は所定のラインのバックポーチの「グレイパルス」により、記録は十分に再生時（例えば、デジタルレコーダからの再生）に時間的な不安定性を有することを発見した。この一部変更されたビデオ信号は、アナログテレビコピープロテクションのモノ（Mono）プロセス上の再生性を改善した（Ｍｏｒｉｏ等、米国特許第４，１００，５７５号参照。ここにその全体を参照援用する）。Ｍｏｒｉｏのホワイトレベルパルスではなく、グレイレベルパルスを使用したからである。この場合、グレイパルス／信号は、概してピークホワイトレベルより低い信号を意味する。例えば、バックポーチ領域または同期信号の終わりに続く、所定の長さの３０％乃至７０％のレベルである。この「パルス」は、その平均レベルが平均ピークホワイトレベルより低い任意の波形でよい。グレイレベルパルスの使用は、コピープロテクション（及び／またはコンテンツ管理）及びＨＤＴＶ信号に適用することができる。
【００１６】
ビデオ信号を一部変更する上記の方法に加えて、かかる方法を実行する装置がある。この装置は、一実施形態では、ＨＤＴＶ標準等であるがこれに限定はされないデジタルテレビジョン標準に概して準拠する、そのブランキング期間の各々に関連する３レベル同期パルスを有するビデオ信号を受信するように構成された入力ポートを含む。さらに、前記装置は、前記入力ポートに結合され、少なくとも１つの３レベル同期パルスと関連する前記ビデオ信号の一部を一部変更するプロセッサを含む。それにより、前記一部変更されたビデオ信号はその記録を阻止し、またはその使用の制御に関する情報を担う信号である。さらに、本装置は、プロセッサに結合され、一部変更された（例えば、コピープロテクトされた）ビデオ信号を出力する出力ポートを含む。それによって、一部変更することには少なくとも１つの３レベル同期パルスを一部変更することが含まれ、ビデオ信号の輝度チャネルまたは色度チャネルの少なくとも１つで行われる。
【００１７】
さらに、前記一部変更することは、前記３レベル同期パルスのバックポーチの振幅を下げるまたは上げることを含む。  前記一部変更することは、前記ビデオ信号のピークホワイトレベルの少なくとも２０％下にバックポーチの振幅を下げることを含む。  さらに、前記一部変更することは、前記３レベル同期パルスの一部の振幅を変更してそのパルスの正及び負の部分を非対称にすることを含む。さらに、前記一部変更することは、前記３レベル同期パルスの位置、振幅、または幅のうち少なくとも１つを変更することを含む。  また、一部変更することには、前記ビデオ信号中の複数の３レベル同期パルスの一部変更であって、前記一部変更は前記ビデオ信号の異なるスキャンライン間で変化することを含んでもよい。
【００１８】
さらに、前記一部変更することは、前記ブランキング期間の少なくとも一部に少なくとも１つのパルスを加えることを含み得る。  前記加えたパルスは、前記ビデオスキャンラインのアクティブビデオ部分に伸び得る。アクティブビデオ部分は、一部変更がなされるビデオ信号のフィールドのオーバースキャン部分にあってもよい。  さらに、前記一部変更することは、前記３レベル同期パルスの位置の前または後ろに前記ブランキング期間中に前記パルスを付加することを含み得る。
【００１９】
前記一部変更することは、前記ビデオ信号の輝度チャネルまたは色度チャネルのうち少なくとも一方に前記パルスを付加することも含む。付加されたパルスは正の部分または負の部分を有し、３レベル同期パルスの構成を有してもよい。また、前記一部変更することは、前記３レベル同期パルスのフロントポーチまたはバックポーチ部分に前記付加パルスを付加することを含んでもよい。  
さらに、前記一部変更は、複数のパルスを前記ブランキング期間に付加することを含んでもよい。一部変更は、パルスを複数のブランキング期間に付加することも含む。付加されたパルスの特徴はビデオ信号のスキャンライン間で異なってもよく、その特徴は位置、振幅、幅、または付加パルス数の少なくとも１つに応じて変化してもよい。さらに、前記付加されたパルスはグレイレベルパルスであり、前記３レベル同期パルスのバックポーチ部分に付加されてもよい。前記付加されたパルスは、関連づけられた前記３レベル同期パルスの長さの１／３倍から２倍の長さであってもよい。
【００２０】
また、デジタルテレビジョン標準はＨＤＴＶ標準であってもよい。デジタル標準は７２０ラインプログレッシブスキャンまたは１０８０ラインインターレーススキャンであってもよい。一部変更された信号部分は、本装置により一部変更されたように、ビデオ信号のコンテンツ管理（事後的使用）のための所定コマンドを少なくとも部分的に規定してもよい。あるいは、信号の一部変更された部分は、前記ビデオ信号を受信する装置の検出システムに間違った出力を発生させることにより前記ビデオ信号の事後的記録を阻止することができる。前記一部変更された部分は前記ビデオ信号の少なくとも２つのチャネルであり得る。この場合、ビデオ信号の一部変更された部分の一部変更は、２つのチャネル間で異なってもよい。
【００２１】
また、前記一部変更された部分は、前記ビデオ信号の前記垂直ブランキング期間に隣接するアクティブビデオ中の前記ビデオ信号の所定スキャンラインにあり得る。さらに、本装置の入力部は、例えば、１つの輝度チャネルと２つの色度チャネルを含むビデオ信号の３つのチャネルを受信するように構成されてもよい。出力ポートは一部変更されたビデオ信号の３つのチャネルを出力するように構成され得る。
【００２２】
さらに、本装置は、プロセッサを含むが、入力ポートに結合され出力ポートを有する基準信号ディテクタを含んでもよい。また、基準信号ディテクタの出力ポートに結合された、ビデオ信号の一部変更された部分に関する複数の値を格納するように構成されたメモリと、前記プロセッサの入力部と前記メモリに結合された、その出力ポートが本装置の出力ポートに結合されたコンバイナを含んでもよい。さらに、メモリと関連する少なくとも１つのカウンタがあってもよい。
【００２３】
他の実施形態は、上記の効果を一部変更または低減する、またはコンテンツ制御システムの結果を変更する様々な無効化（defeat）方法と、上記効果を一部変更または低減する、または同結果を変更する関連する無効化装置とである。無効化方法は、上記のように、概してデジタルテレビジョン標準に準拠した、ブランキング期間に３レベル同期パルスを有するビデオ信号を受信する段階であって、前記３レベル同期パルスと関連する前記ビデオ信号の一部が、そのビデオ信号の記録を阻止する、またはそのビデオ信号の使用の制御に関する情報を担うように変更される段階を含む。さらに、本無効化方法は、少なくとも前記３レベル同期パルスと関連する前記受信したビデオ信号の一部を、前記ビデオ信号の記録、またはその使用の制御に関する情報を変更するように一部変更する段階を含む。前記一部変更または無効化は、前に変更された前記３レベル同期パルスの少なくとも１つの一部変更を含む。前記一部変更は、前記ビデオ信号の輝度チャネルまたは色差チャネルのうち少なくとも一方で行われ得る。前記一部変更は、前記３レベル同期パルスのバックポーチの振幅を基準レベルに下げるまたは上げることを含んでもよい。前記一部変更は、さらに、前記ビデオ信号のピークホワイトレベルの少なくとも２０％下から前記基準レベルにバックポーチの振幅を上げることを含み得る。前記一部変更は、さらに、前記３レベル同期パルスの一部の振幅を変更してそのパルスの正及び負の部分を非対称ではなく対称にすることを含み得る。前記一部変更は、さらに、前に変更された前記３レベル同期パルスの位置、振幅、または幅のうち少なくとも１つを基準レベルに変更することを含み得る。
【００２４】
本方法は、さらに、前記ビデオ信号中の前に変更された複数の３レベル同期パルスを一部変更する段階であって、前記変更は前記ビデオ信号の異なるスキャンライン間で変化する段階を含む。前記一部変更は、さらに、前記ブランキング期間にある少なくとも１つのパルスを削除または減衰することを含み得る。
【００２５】
さらに、前記削除または減衰されたパルスは、前記削除または減衰の前に前記ビデオスキャンラインのアクティブビデオ部分に伸びてもよい。前記アクティブビデオ部分は、前記ビデオ信号のフィールドのオーバースキャン部分であり得る。前記一部変更は、前記３レベル同期パルスの位置の前または後ろに前記ブランキング期間中にある前記パルスを削除または減衰することを含み得る。さらに、前記一部変更は、前記ビデオ信号の輝度チャネルまたは色度チャネルのうち少なくとも一方から前記パルスを削除または減衰することを含み得る。さらに、前記削除または減衰されたパルスは、前記削除または減衰の前に正または負である部分を有してもよい。さらに、前記削除または減衰されたパルスは、前記削除または減衰の前に前記３レベル同期パルスの構成を有してもよい。  
さらに、前記一部変更は、前記３レベル同期パルスのフロントポーチまたはバックポーチ部分にあるパルスを削除または減衰することを含んでもよい。前記一部変更は、前記ブランキング期間にある複数のパルスを削除または減衰することを含んでもよい。前記一部変更は、複数の前記ブランキング期間にあるパルスを削除または減衰することを含み、前記削除または減衰されるパルスの特性は前記削除または減衰の前の前記ビデオ信号のスキャンラインの間で変化してもよい。変化する特性は前記パルスの位置、振幅、幅、数のうちの少なくとも１つであり得る。
【００２６】
さらに、前記削除または減衰されたパルスは、グレイレベルパルスであり、前記削除または減衰の前に前記３レベル同期パルスのバックポーチ部分にあってもよい。さらに、前記削除または減衰されたパルスの長さは、前記削除または減衰の前に前記３レベル同期パルスの長さの１／３から２倍であり得る。
【００２７】
さらに、前記デジタルテレビジョン標準は高精細テレビジョン（ＨＤＴＶ）標準であってもよい。前記標準は７２０ラインプログレッシブスキャンまたは１０８０ラインインターレーススキャンであってもよい。  前記受信されたビデオ信号の情報は、前記ビデオ信号のコンテンツ管理の所定コマンドを少なくとも部分的に規定することができる。
【００２８】
また、前記ビデオ信号の記録の阻止は、前記ビデオ信号を受信する装置の検出システムに間違った出力を発生させることによるものであり得る。前記ビデオ信号の変更された部分は、前記ビデオ信号の少なくとも２つのチャネルであってもよい。前記変更は、ビデオ信号の２つのチャネル間でことなってもよい。  前記変更は、前記ビデオ信号の所定スキャンラインにあり、前記ビデオ信号の前記垂直ブランキング期間に隣接するアクティブビデオを含んでいてもよい。
【００２９】
また、想定されるものは、上記の一部変更を無効化するか、またはその効果を無くすかまたは効果を変えるように上記の一部変更を一部変更する、関連装置である。よって、上記の方法を実行する装置は、典型的には、概してデジタルテレビジョン標準に準拠した、ブランキング期間と関連する３レベル同期パルスを有するビデオ信号を受信するように構成された入力ポートであって、前記３レベル同期パルスと関連するビデオ信号の一部は前に変更されている入力ポートを含む。また、その装置に含まれるものは、前記入力ポートと結合し、少なくとも前記３レベル同期パルスと関連する前記受信したビデオ信号の一部を、前記ビデオ信号の記録、またはその使用の制御に関する情報を変更するように一部変更するプロセッサである。その装置は、さらに、前記プロセッサと結合され、前記一部変更されたビデオ信号を出力するように構成された出力ポートを含む。前記一部変更は、前に変更された前記３レベル同期パルスの少なくとも１つの一部変更を含んでもよい。さらに、その装置は、一部変更方法に関する上記の様々な機能の各々を実行することができる。これらの機能には次のものが含まれる。
【００３０】
前記一部変更は、前記ビデオ信号の輝度チャネルまたは色度チャネルのうち少なくとも一方で行われ得る。前記一部変更は、前記３レベル同期パルスのバックポーチの振幅を基準レベルに下げるまたは上げることを含んでもよい。前記一部変更は、前記ビデオ信号のピークホワイトレベルの少なくとも２０％下から前記基準レベルにバックポーチの振幅を上げることを含み得る。  前記一部変更は、前記３レベル同期パルスの一部の振幅を変更してその正及び負の部分を対称にすることを含んでもよい。前記一部変更は、前に変更された前記３レベル同期パルスの位置、振幅、または幅のうち少なくとも１つを基準レベルに変更することを含み得る。その装置のプロセッサは、さらに、前記ビデオ信号中の前に変更された３レベル同期パルスの一部変更であって、前記変更は前記ビデオ信号の異なるスキャンライン間で変化する一部変更をさらに行うことができる。
【００３１】
前記一部変更は、さらに、前記ブランキング期間の一部にある少なくとも１つのパルスを削除または減衰することを含み得る。前記削除または減衰されたパルスは、前記削除または減衰の前に、前記ビデオスキャンラインのアクティブビデオ部分に伸びてもよい。前記アクティブビデオ部分は、前記ビデオ信号のフィールドのオーバースキャン部分であり得る。前記一部変更は、前記３レベル同期パルスの位置の前または後ろに前記ブランキング期間中にある前記パルスを削除または減衰することを含み得る。
【００３２】
前記一部変更は、前記ビデオ信号の輝度チャネルまたは色度チャネルのうち少なくとも一方から前記パルスを削除または減衰することを含み得る。前記削除または減衰されたパルスは、前記削除または減衰の前に正または負である部分を有してもよい。前記削除または減衰されたパルスは、前記削除または減衰の前に前記３レベル同期パルスの構成を有してもよい。
【００３３】
前記一部変更は、前記削除または減衰の前に前記３レベル同期パルスのフロントまたはバックポーチ部分にあるパルスの削除または減衰を含み得る。前記一部変更は、前記ブランキング期間から複数のパルスを削除または減衰することを含んでもよい。さらに、前記一部変更は、複数の前記ブランキング期間にあるパルスを削除または減衰することを含み、前記削除または減衰するパルスの特性は前記削除または減衰の前の前記ビデオ信号のスキャンラインの間で変化してもよい。さらに、変化する特性は前記パルスの位置、振幅、幅、数のうちの少なくとも１つであり得る。
【００３４】
さらに、前記削除または減衰されたパルスは、グレイレベルパルスであり、前記削除または減衰の前に前記３レベル同期パルスのバックポーチ部分にあってもよい。前記削除または減衰されたパルスの長さは、前記削除または減衰の前に前記３レベル同期パルスの長さの１／３から２倍であり得る。
【００３５】
一般的に、前記デジタルテレビジョン標準は高精細テレビジョン（ＨＤＴＶ）標準であってもよい。前記標準は７２０ラインプログレッシブスキャンまたは１０８０ラインインターレーススキャンの１つであってもよい。
【００３６】
さらに、前記受信されたビデオ信号の情報は、前記ビデオ信号のコンテンツ管理のための所定コマンドを少なくとも部分的に規定するものであってもよい。
【００３７】
また、前記ビデオ信号の記録の阻止は、前記ビデオ信号を受信する装置の検出システムに間違った出力を発生させることによるものであり得る。前記ビデオ信号の変更された部分は、前記ビデオ信号の少なくとも２つのチャネルであってもよい。前記変更は、ビデオ信号の２つのチャネル間で異なってもよい。  前記変更は、前記ビデオ信号の所定スキャンラインと前記ビデオ信号の前記垂直ブランキング期間に隣接するアクティブビデオにおけるものであってもよい。
【００３８】
さらに、その装置において、入力ポートは１つの輝度チャネルと２つの色度チャネルを含む３チャネルのビデオを受信するように構成されていてもよい。
【００３９】
さらに、その装置の出力ポートは、一部変更されたビデオ信号の３つのチャネルを出力するように構成され得る。さらに、その装置において、プロセッサは、  
入力ポートに結合され出力ポートを有する基準信号ディテクタと、  
基準信号ディテクタの出力ポートに結合され、ビデオ信号の変更された部分に関する複数の値を格納するように構成されたメモリと、  
プロセッサの入力ポートに結合され、その出力ポートは装置の出力ポートに結合されたコンバイナとを含み得る。さらに、メモリと関連する少なくとも１つのカウンタがあってもよい。  
【発明の詳細な説明】
【００４０】
コンテンツ管理の一部変更
図１Ａは、ＨＤＴＶ信号源を示す。この信号源はアナログでもデジタルでもよく、一部変更回路４に結合されたライン２にビデオ信号Ｉｎを供給している。（ＨＤＴＶ信号は、デジタル方式で放送されるが、アナログ領域への変換は容易である。）ライン６への一部変更回路４の出力信号はビデオ番組素材を含む。そのビデオ番組は、本開示に従って追加または挿入されたコンテンツ制御及び／またはコピープロテクションを有する。（この回路の場合、「ライン」とは信号導体または信号導体のセットをいい、ビデオスキャンラインでｈない。）
図１Ｂは、（図１Ａからの）ライン６で受信したコンテンツ制御／コピープロテクション信号の（一般的）リーダ３を示し、このリーダ３は（一般的）準拠装置５に結合されている。リーダ３は、例えばビデオレコーダ、ビデオプレーヤ等である。準拠装置５は、例えば、ビデオレコーダ、トランスミッタ、アナログ・デジタルコンバータ、ＵＳＢ（universal  serial  bus）等である。リーダ３は、一部変更された入力信号（例えば、ＨＤビデオ信号）を受信し、入力信号とリードコマンド（read  command）を準拠装置５に結合する。一部変更された入力信号には、従来の３つのチャネルＹ、Ｐｂ、Ｐｒが含まれ、各チャネルは（一部変更として）潜在的に疑似同期パルス（ＰＳ）、ＡＧＣパルス、バックポーチパルス（ＢＰＰ）を含んでいる。これらは以下に説明する。準拠装置５は、出力ポート７にエクストラ信号（extra  singal）を遮断するか通過させることにより、ポート７の出力信号を一部変更する（または所定の減衰や追加により出力信号を一部変更する）。例えば、コマンドが記録または視聴を防止するものである場合、準拠装置５のポート７の出力信号はミュートまたは減衰される。または、コマンドがコンテンツ制御またはコピープロテクション信号を通過させるものである場合、準拠装置５はエクストラ信号（extra  signal）すなわち信号の一部変更をポート７に通過させる。
【００４１】
図２は、ビデオ信号を一部変更する本開示によるＨＤＴＶビデオシステムの例を示す図である。そのビデオ信号は図１Ａに示したものと同様であるが、３つのＨＤＴＶビデオチャネル全部を示している。これらのビデオチャネルのうち少なくとも１つは、プロセッサ１０により一部変更される。そのプロセッサ１０は、図１Ａの一部変更回路４に対応している。例えば、輝度ビデオ信号Ｙはタイミング回路８に入力されている。タイミング回路８はプロセッサ１０が追加信号を挿入するタイミングを発生する。これらの追加信号は信号ジェネレータＶ１、Ｖ２、Ｖ３により供給される。（ライン６への）プロセッサ１０の出力には、追加信号とそれに続く３レベル同期パルスが含まれる。すなわち、負のパルスとそれに続く正のパルスとを有する（３レベル同期）基準信号の後に信号（例えば、パルスまたは波形）がプロセッサ１０により追加される。Ｙ、Ｐｂ、Ｃｒ等の各チャネルには、それぞれ、３レベル同期パルス一部変更、バックポーチ領域信号、フロントポーチ領域信号、３レベル疑似同期パルス、及び／または３レベル同期または３レベル疑似同期パルスに続く信号またはパルスがある。これらの信号は、パルス幅、周波数、位置、位相、及び／または振幅が変調されていてもよい。
【００４２】
一例として、Ｙチャネルの所定のスキャンラインには、負及び正の（例えば、３レベル同期パルス）基準信号に続き、正のパルス（例えば、パルスまたは波形）が追加されている。そのスキャンラインは、ＶＢＩ（垂直ブランキング期間）の近くにあるものであり、アクティブフィールドの最後のスキャンライン、ＶＢＩ中の所定のスキャンライン、及び／またはアクティブフィールドの先頭のスキャンライン等である。例えば、各信号ジェネレータＶ１、Ｖ２、Ｖ３は、各チャネルに挿入される信号を出力する。よって、これらの信号ジェネレータは、入来するビデオ番組信号に組み込まれる（静的または動的な）波形を出力する。Ｙチャネルにおけるさらに別の例として、時間的原点を基準としたパルス数（垂直同期パルス等）は、例えばＣＧＭＳコマンドセットの様々なコンテンツ制御コマンドを伝える。パルスを付加した２つ（以上）のビデオチャネルを使用して、準拠受信装置にコンテンツ制御コマンドをさらに伝える。
【００４３】
図３は、典型的な先行技術のＨＤＴＶビデオ信号の一部を（従来通り、アナログ波形で）示す図である。このＨＤＴＶビデオ信号は、レベルａ１とｂ１を有する３レベル同期パルスとレベルｃ１の基準バックポーチを含む。パルスレベルａ１は同期セパレータにより使用され、レベルｂ１及び／またはｃ１の検出を可能とするパルスを発生する。レベルａ１からｂ１へのゼロクロスを検出すると、レベルａ１を検出するだけよりも、同期セパレータが発生するタイミング信号をより正確にできる。クランプまたはブラックレベル基準はレベルｃ１から決定でき、振幅基準はレベルｂ１（例えば、ｂ１のピーク振幅）から決定できるので、これらの検出信号を使用してＨＤＴＶ信号のブラックレベル及び／またはビデオゲインを調節する。
【００４４】
図３Ｂは、Ｙ（輝度）チャネルのビデオ信号の（先行技術である）標準３レベル同期パルスの一例を示している。振幅（ｍＶ単位）を縦軸に示した。ＨＤＴＶ標準７２０ｐまたは１０８０ｉをこの例に適用可能であるが、それに限定はされない。図３Ｃは、Ｐｂ及び／またはＰｒチャネルにおける（先行技術の）標準３レベル同期パルスビデオ信号の一例を示す。ＨＤＴＶ標準７２０ｐまたは１０８０ｉをこの例にも適用可能であるが、それに限定はされない。コンテンツ制御信号またはコピープロテクション信号の少なくとも一部を発生する例において、３レベル同期パルスの所定のセットまたは３レベル同期パルスの一部を反転し、時間的に位置を動かし、削除し、または平均エネルギーレベルを調節する（例えば、パルス幅と振幅の変更）。
【００４５】
図４Ａは、この開示に従って、ＨＤＴＶのＹチャネルにおいて、従来の３レベル同期パルスとそれに続く付加パルスＡの例を示す。パルスＡは、アクティブビデオスキャンライン部分（「アクティブピクセル」）の（時間的に）前に付加されてもよい。場合によって、パルスＡはアクティブビデオ（「アクティブピクセル」）に入ってもよい。図４Ａには、３レベル同期パルスの前にある付加パルスＢも示されている。パルスＢも（前のスキャンラインの）アクティブビデオに入ってもよい。Ｙチャネルの例において、パルスＢをゼロ振幅に設定し、パルスＡをピークホワイト振幅の１０％から約１００％（以上）の範囲の振幅に設定してもよい。もちろん、他の振幅範囲（例えば、１０％より下）を使用することも可能である。信号パルスＡの長さは、１００ｎｓから少なくとも１．５μｓの範囲である。パルスＡ及び／またはパルスＢは、（例えば、単一パルスよりも複雑な）波形信号であってもよい。例えば、波形は一連の（変調された）正弦波及び／または方形波、または任意の形状の波形であってもよい。パルス／波形Ａとパルス／波形Ｂのレベルは負でもよく（例えば、０から−２００ｍＶの範囲）、負の波形を含んでいてもよい。
【００４６】
図４Ｂは、Ｐｒ及び／またはＰｂチャネルにおける同様の付加パルスＡ′、Ｂ′を示す。パルスＡ′及び／またはＢ′の位置はパルスＡとＢの位置と異なる。また、パルスＡ′及び／またはＢ′の波形も、パルスＡ及びＢと比較して異なる。Ｐｂ及び／またはＰｒチャネルの一実施例では、パルスＢ′の振幅はゼロに設定され、パルスＡ′の振幅はピークホワイト振幅の５％（例えば、＋１５ｍＶ）から約５０％（例えば、＋３００ｍＶ）の範囲に設定される。もちろん他の値を使ってもよい。パルスＡ′の長さは、例えば１００ｎｓから少なくとも１．５μｓである。パルスＡ′及び／またはＢ′は、任意信号等のパルス以外の波形であってもよい。パルス／波形Ａ′またはＢ′は、負電圧になっても、ブランキングレベルより下になってもよい。パルスＡ′またはＢ′は、水平（及び／または垂直）ブランキング期間の近くにあり、それゆえ水平ブランキング期間の近くにはアクティブビデオラインの一部がふくまれてもよい。
【００４７】
図５Ａと５Ｂは、一部変更の例を示し、付加パルスＤ、Ｃ、Ｄ′及びＣにより、フロントポーチ同期パルス領域及びバックポーチ同期パルス領域の一部を下げたものを示している。フロントまたはバックポーチの一部を下げることにより、望ましくない再生可能効果を低減または変更する。またはこのように下げることにより、コピープロテクションまたはコンテンツ制御信号を強調（enhance）するか、またはコンテンツ制御システムにさらに別の情報（コメント）を伝える。一例としてピークホワイトレベルの約０％から２０％に下げたが、他の負値を使用してもよい。例えば、Ｄ、Ｃ、Ｄ′またはＣ′は、ホワイトの−３０％より大きくブランキングレベルより上のレベルまでの範囲にある任意のレベルを含む任意のまたは所定の波形である。また、前記の波形は１つ以上のパルスや信号を含んでもよい。
【００４８】
図６Ａは、挿入または付加された３レベル疑似同期信号の例を示す。各信号は正の立ち上がり部分と負の立ち下がり部分を有し、そのすぐ後にビデオ信号の所定のスキャンラインに付加されたバックポーチパルス１３が付加されている。元々の３レベル同期パルスは、図３Ａに先行技術として示したように、ａ１とｂ１である。これらの疑似同期信号は、任意の正または負のパルス長さであってもよい。また、これらの疑似同期信号は振幅または周波数が変更されてもよい。この挿入は一般的にはＶＢＩにおいて行われ、アクティブビデオと干渉しないようになっているが、必ずしもそうする必要はない。
【００４９】
図６Ｂは、負／正のパルス（例えば、３レベル同期パルス）に続け信号２５′（バックポーチパルス）を付加する例を示している。この付加パルス２５′は、重畳して示した矢印が示すように、幅、位置、及び／または振幅を変更してもよい。付加したパルス２５′は波形であってもよく、ホワイトレベルの−３０％とブランキングレベルより上のレベルとの間に含まれる。また、少なくともバックポーチ（例えば、レベル２６′及び／または２７′）領域の一部を、さらに重畳して示した矢印のように上げても下げてもよい。図６Ｂに示したのは、（任意的な）３レベル疑似同期パルスであり、それぞれ２０Ｎ、２０Ｐで示したパルスペアとそれに続く任意的付加パルス２１である。疑似同期パルス期間の例は、標準３レベル同期パルスの長さの約１／３から２倍である。一例として、疑似同期パルスの振幅は３レベル同期パルスの振幅に実質的に近いが、負パルス２０Ｎと正パルス２０Ｐの振幅は他の値であってもよい。図６Ｃは、図６Ｂと同様の波形を示すが、３レベル疑似同期パルスに続く（任意的）バックポーチパルス２１′は矢印で示したように幅、位置、及び／または振幅を変更してもよい。また、３レベル疑似同期パルスに続く少なくとも１つの領域の振幅を、２２′、２３′で示したように、上げ下げしてもよい。２１′は、負のレベルを含む波形であってもよい。
【００５０】
図６Ｄは、図６Ｂに似た波形を示すが、３レベル同期パルス２０Ｎ、２０Ｐまたはその３レベル疑似同期パルスに続くバックポーチパルス２５′の繰り返しレートまたは周波数を上げるか変更したものである。３レベル疑似同期パルスの数及び／またはそれに続く付加パルスの数によりコンテンツ制御システムのための情報をつたえてもよい。図６Ｆは、図６Ｄの波形に似た波形を示し、いくつかの３レベル疑似同期パルス２０Ｎ、２０Ｐが追加されている。ここで、例えば、３レベル疑似同期パルス２０Ｎ、２０Ｐの数は、コンテンツ制御システムのための情報を伝えることができる。
【００５１】
図４Ａ乃至図６Ｅ、図７乃至図９Ｆ、図１０Ｂ乃至図１０Ｄ、図１３Ａまたは図１３Ｂに示したどの信号一部変更も、ＨＤＴＶアナログ機器またはインターフェイスのためのコピープロテクションまたはコンテンツ制御に適用してもよいことに留意せよ。ここで、３レベル疑似同期パルスに続く付加信号は、かかる受信装置のＡＧＣシステムに影響を与えて、コピープロテクション効果を生じる。また、例えば、変調された付加信号は動的な（時間的に変化する）コピープロテクション効果を生じる。他の例では、３レベル同期パルスに続く付加または挿入波形により、所定のモニターまたはディスプレイにクランプ問題（clamp  problem）またはディスプレイ問題を生じる。波形をいかに選択するか知ることにより、一部のディスプレイやインターフェイス装置は影響を受け、他は受けない。例えば、ＶＢＩ中の一連の（例えば、３レベル）疑似同期パルスは、１０８０ｉ等のＨＤＴＶ標準ではディスプレイアーティファクトを生じないが、７２０ｐの場合にはディスプレイアーティファクトが生じる。他のディスプレイでは、疑似同期はインターレースされたスキャンディスプレイには影響するが、プログレッシブスキャン装置ではそれほどでもない。標準的な精細度標準を使用してもよい。このように、インターレース及び非インターレース装置に対して所定の疑似同期または３レベル疑似同期を使用することにより、スキャン標準の再生を制御することができる。もちろん、所定のＡＧＣパルスはどの所定の（３レベル）疑似同期パルスに続けてもよい。
【００５２】
図４Ａ乃至図６Ｅの一部変更方法は、コンテンツ制御目的に使用してもよい。例えば、コンテンツ制御用コマンドは、上記のＡ、Ａ′、Ａ′′、Ａ′′′、Ｂ、Ｂ′、Ｂ′′、Ｂ′′′、Ｃ、Ｃ′、Ｄ、Ｄ′、２５′、２１、２１′に示したパルスの如何なる組み合わせの数または性質の関数であってもよく、ビデオチャネル（例えば、Ｙ、Ｐｂ、またはＰｒ）のどれにあってもよい。さらに別の例として、上記（または下記）のパルスのどの部分の振幅、位置、長さを使用してコンテンツ制御（コンテンツ管理）システムに情報（例えば、コマンド）を伝えてもよい。ライン毎のパルス／波形、またはラインの組毎のパルス／波形のパターンにより、コンテンツ制御用のコマンドを伝えてもよい。留意すべきことは、場合によっては、Ａ、Ｂ、Ａ′、Ｂ′、Ａ′′、Ｂ′′、Ａ′′′、Ｂ′′′、２５′、２１、または２１′により示された波形またはパルスは、少なくとも負レベルの部分を有することである（例えば、そのレベルは少なくとも同期チップレベル（sync  tip  level）またはそれより上まで伸びてもよい）。同様に、波形またはパルスＤ、Ｃ、Ｄ′、及び／またはＣ′は、少なくとも同期チップレベルより下になる負レベルの部分を少なくとも有する。また、位置の分離は、ゼロを含み、ＤとＢ′′、ＣとＡ′′、Ｄ′とＢ′′、ＣとＡ′′の後縁間にあってもよいことに留意する。波形Ｄ、Ｂ′、Ｃ、Ａ′′、Ｄ′、Ｂ′′′、Ｃ′及びＡ′′′は、１つの波形またはパルスを含む如何なる組み合わせに挿入してもよい。波形またはパルスの挿入／付加は、ブランキング期間またはアクティブビデオラインの一部で行われる。
【００５３】
図７は、３レベル疑似同期パルスの一部変更を示す波形図である。ここで、３レベル疑似同期パルスの正の部分は、振幅が変更された少なくとも一部分（例えば、パルス１２′）を有する。その結果、例えば、３レベル疑似同期パルスが非対称となり、負の部分（nagative  going  portion）と正の部分（positive  going  portion）の長さとその振幅の絶対値が異なる。後者の振幅、すなわち３レベル疑似同期パルスの（通常の）正部分は、例えばピークホワイトレベルの−２０％から＋１００％の範囲にある。任意的に、バックポーチパルス２１′をパルス２２と２３に付加してもよい。
【００５４】
図８は、（通常の）３レベル同期パルス及び／または（付加された）３レベル疑似同期パルスの負及び／または正の部分の任意の部分を一部変更するさらに柔軟な方法を示す波形図である。ここでは、３レベル同期／疑似同期パルスの負または正の部分のいずれか（または両方）の少なくとも一部が、重畳して示した矢印で示したように、振幅、幅、及び／または位置（すなわちエッジの位置）が変更されている。また、図８には「屈折点」２９と３１を示した。これらの点はそれぞれ信号電圧レベルをアンカー（anchor）する。例えば、パルスｂ１′と１２′を遅らせると、屈折点２９と３１はほぼブランキングレベルに設定される。しかし、ピークホワイトレベルの＋１０％や−１０％等のブランキングレベル以外のレベルを（例えば、屈折点に）使用することもできる。上記の屈折点はギャップ電圧を表す。このギャップ電圧は任意の電圧でよく、ブランキングレベルでもそれより高くても低くてもよい。このギャップ電圧はピークホワイトレベルの＋／−１０％に限定される。
【００５５】
図９Ａは、正の部分で一部変更された３レベル同期パルスの例を示す波形図である。ここで、パルスｂ１′′に重畳して示した矢印は、その正の部分の振幅すなわちレベルを変更することを示している。レベルを一部変更してブランキングよりも下にすることができる。また、図９Ａに示した一部変更は３レベル疑似同期信号に適用することもできる。図９Ｂは、３レベル同期パルスの正の部分を位置的にシフトしてｂ１′′で一部変更された３レベル同期パルスの一例を示す。この同期パルスの正の部分の振幅も変更し得る。点線で示したように、３レベル同期パルスの正の部分を、それに続くビデオスキャンラインのアクティブ部分まで延ばすことができる。図９Ｂに示したのはギャップレベルＧ１であり、このギャップレベルＧ１は一部変更の一部である。ギャップレベルＧ１は屈折点により表してもよい。また、図９Ｂの方法は３レベル疑似同期信号に適用することもできる。図９Ｃは、３レベル同期パルスの正の位置をｂ１′′′で狭めた場合の例である。また、点線で示したように、この正の値の部分は広げても（長さをのばしても）よい。広げる部分は、ビデオスキャンラインのアクティブ部分まで延ばしてもよい。また、この部分の振幅は変更してもよい。また、図９Ｃの方法は、３レベル疑似同期信号に適用することもできる。留意すべきことは、Ｇ１、Ｇ２、Ｇ３の設定は、ブランキングレベルでなくてもあってもよい。
【００５６】
図９Ｄは、ｂ１′′′′において狭めて３レベル同期パルスの正の部分を狭め（長さを短くし）るか、または狭めてシフトした場合を示す。また、任意的に、正の部分の振幅は変更され得る。図示したように、正のパルスの部分をビデオスキャンラインのアクティブ部分まで（任意的に）延ばすことができる。また、図示したように、正の部分のレベル（振幅）を変更してもよい。また、図９Ｅの方法は、３レベル疑似同期パルスに適用することもできる。図９Ｅは、ｂ１′′′′において、３レベル同期パルス（または３レベル疑似同期パルス）の正の部分を伸ばしたところを示す図である。この正の部分の振幅を変更しても、アクティブ部分まで延ばしてもよい。図９Ｆは、ｂ１′′′′において、３レベル同期パルス（または３レベル疑似同期パルス）の正の部分をシフト及び伸ばしたところを示す図である。この正の部分の振幅を変更しても、アクティブ部分まで延ばしてもよい。
【００５７】
図１０Ａは、再び、従来からある（標準の）先行技術の３レベル同期パルスを示す波形図である。図１０Ｂは、図１０Ａに示した波形の３レベル同期パルスの負の部分を一部変更し、ａ１′を前に進めてシフトして、ギャップレベルＧ４を作った場合を示す。負のパルス部分ａ１′の振幅は任意的に変更し得る。また、図１０Ｂの方法は、３レベル疑似同期パルスに適用することもできる。図１０Ｃは、３レベル同期パルスを示し、その負の部分はａ１′′において後縁が狭められている。ギャップレベルＧ５が残っている。負のパルス部分ａ１′′の振幅は任意的に変更し得る。また、図１０Ｃの方法は、付加された３レベル疑似同期パルスに適用することもできる。図１０Ｄは、その負の部分はさらに狭められた３レベル同期パルスを示している。この負の部分は時間的にシフトしてもよい。このように狭めてシフトすることによりギャップレベルＧ６ができる。負の部分ａ１′′′の振幅は任意的に変更し得る。また、図１０Ｄの方法は、（付加された）３レベル疑似同期パルスに適用することもできる。ギャップレベルＧ５またはＧ６は、非ブランキングレベルまたはブランキングレベルに設定することもできる。ａ１、ａ１′、ａ１′′及びａ１′′′は、位置をシフトし、パルス幅を変更し、振幅を変調してもよい。
【００５８】
図１１Ａは、アクティブビデオスキャンラインの一部を含む標準の（先行技術の）３レベル同期ビデオ信号の波形図である。図１１Ｂは、関連する同期セパレータ回路の出力信号を示す。この回路は、図１１Ａの３レベル同期パルスの負パルスを示すパルスを出力する。（この先行技術の同期セパレータは、図１２に示す先行技術のＡＧＣシステムの一部である。）図１１Ｃは、図１１Ｂの信号の後縁によりトリガーされ、３レベル同期の正の部分のサンプルパルスを発生するパルスを示す。図１１Ｄは、図１１Ｂまたは図１１Ｃの信号から求められるパルスを示す。このパルスは、標準的３レベルビデオ信号のバックポーチ領域にある。図１１Ｅは、３レベル同期ビデオ信号の負の部分のサンプル信号を示す図である。
【００５９】
図１１Ａ乃至図１１Ｅの先行技術の波形は、３レベル同期パルスの負の部分を歪め、または減衰し、図１１Ａ−Ｅに示したように動作するものより信頼性が高いＡＧＣシステムでさえ、３レベル同期の正のパルスと少なくともバックポーチ領域の一部のサンプリングに依存する。このように、有利にも、３レベル同期信号の少なくとも一部及び／またはバックポーチ領域を一部変更する上記の一部変更により、３レベル同期パルスビデオ信号を利用するかかるＡＧＣシステムやビデオシステムの動作に影響を与えることができる。
【００６０】
図１２は、図１１Ａ乃至図１１Ｅの波形と関連する従来のＡＧＣ（自動利得制御）システムを示す図である。これは、出力端子ＯＵＴ２を介した３レベル同期パルスの正の部分とバックポーチ領域の電圧サンプルを使用する、高精細度テレビセット、ディスプレイ、レコーダ、ビデオプロセッサ、チップセット、インターフェイス装置等であるＨＤ装置で使用され、または出力端子ＯＵＴ１を介した３レベル同期パルスの負の部分のレベルとともにバックポーチ領域の電圧レベルを使用するＡＧＣシステムで使用するタイプのものである。図１２は、ここで説明したＨＤビデオの一部変更が典型的なＨＤＴＶのＡＧＣ回路において間違った測定を引き起こすのかを示している。図１２の先行技術のＡＧＣ回路の動作は従来のものである。入力ビデオ信号は同期セパレータ４２の入力端子４０に印加される。同期セパレータ４２の２つの出力信号はスイッチ４６、４８、５０、５２を制御する。上のフィードバックループには、キャパシタ５６、５８、差動アンプ６０、ピーク検出器回路６４、ジャンパーＪＰ１、オペアンプ６６、積分器６８、及び出力端子７２を駆動する電圧制御アンプ７０が含まれる。下のフィードバックループは、差動アンプ６２、オペアンプ７６、積分器７８、および出力端子８２を駆動する電圧制御アンプ８０が含まれる。各ループの機能は、その電圧制御アンプ７０、８０を制御して、端子７２、８２の出力ビデオのレベルを制御することである。さらに別の例では、スイッチ５０の制御ラインに入力された信号に応じて、５０の制御信号がフロントポーチまたはバックポーチの一部等のブランキングレベルにある場合、３レベル同期パルスの負の部分の大きさが測定される。他の例では、５０の制御信号が３レベル同期パルスの正の部分にある場合、３レベル同期パルスの大きさ（正のピーク引く負の同期チップ）を測定する。最後に、３レベル同期パルスの正のピークを測定すると、スイッチ４６の制御信号は３レベル同期パルスの正のパルスの一部と一致するパルスである同期セパレータ４２からの信号を受け、スイッチ４８はフロントまたはバックポーチの一部と一致する制御信号を受ける。開示した実施形態のいくつかはこのＡＧＣ回路の間違った動作を引き起こす。例えば、３レベル同期パルスの正の部分または負の部分のいずれかまたは両方（の例えば一部）を一部変更すると、（例えば、ＡＧＣシステムまたはクランプ回路において）間違った測定が行われる。バックポーチまたはフロントポーチは、通常基準レベルそして使用されるが、その一部の一部変更することにより（例えば、ＡＧＣシステムまたはクランプ回路において）間違った測定が行われる。
【００６１】
発明者は、（ＨＤＴＶではなく）アナログテレビの場合、所定のラインについて、水平同期バックポーチ領域の一部をピークホワイトレベルの４０％等の「グレイレベル」まで上げると、デジタルレコーダにおけるコピープロテクション効果が十分に生じることを発見した。再生するとビデオディスプレイ（例えば、テレビセット）が不安定となる。発明者は、バックポーチ部分を非常に高くしたｎ本のスキャンラインを一部変更して、バックポーチ部分を少し高くしたｍ本のスキャンラインを組み合わせることにより、同様の不安定効果が生じることも発見した。例えば、ｎはピークホワイトレベル（またはホワイトレベルに近いレベル）のほぼ１００％であるスキャンラインのクラスタ（１２本中の４本）であり、ｍは高くしたバックポーチ領域のピークホワイトレベルの約３５％（すなわちグレイレベル）のクラスタ中の残りのスキャンライン（１２本中の８本）である。
【００６２】
図１３Ａは、従来の同期パルスを示し、同期パルスの後にグレイレベルパルスの通常のカラーバースト信号がある。図１３Ｂは、同期パルスの後に振幅がより大きいパルスが示されている。水平同期バックポーチ領域を高くするために異なるレベルのグレイパルスを組み合わせることは、３レベル同期パルスとも使用できる。これを3レベル同期パルスの正の部分に適用することができる（例えば、ｍ本のスキャンラインを、３レベル同期パルスの正の部分のピークホワイトレベルのＸ％（例えば、２０％）高くして、一方、ｎ本のスキャンラインを、他の３レベル同期パルスの正の部分のピークホワイトレベルのＹ％（例えば、６０％）高くする。）図１３Ｃと１３Ｄには、かかる３レベル同期パルスを示した（点線で示した）。もちろん、一部変更されていてもいなくても、３レベル同期パルスの後に１つ以上の（異なる）グレイパルスが挿入または付加されてもよい。その結果、３レベル同期テレビ信号が一部変更される。所定の3レベル同期パルス及び／または所定のバックポーチ領域の一部を一部変更すると、その結果としてコピープロテクション効果が得られる。
【００６３】
図１４Ａは、ＨＤＴＶ等の３レベル同期パルスビデオ信号を発生または一部変更するための装置のブロック図の一例を示している。ビデオ信号のブランキング期間及び／またはオーバースキャン部分の一部変更をビデオメディア及び／またはテープ、ディスク、またはＤＶＤプレーヤ等のメディアプレーヤに適用できる。上記の３レベル同期パルス及び／またはバックポーチのかかる一部変更はこの状況で有用である。図１４Ａにおいて、番組ビデオ入力信号「ビデオ・イン」を、ＨＤＴＶの記録に好適である（ビデオレコーダ等の）ビデオ受信装置の同期セパレータ１０２等の基準信号検出器の端子１１３に入力する。同期セパレータ１０２は、ライン１０６に垂直またはフレーム基準信号（Ｖ）を出力し、ライン１０７に水平スキャンライン信号（Ｈ）を出力する。同期セパレータ１０２は、ライン１０８に画素クロック信号を出力する画素クロック再生回路を含む。例えば、ＨＤＴＶでは、画素クロック周波数は７４．２５ＭＨｚ（またはその他の周波数）であり、（常にではないが）一般的には水平スキャンライン周波数にロックされている。
【００６４】
ライン１０６の垂直すなわちフレーム信号Ｖ、ライン１０７の水平ライン信号（Ｈ）、ライン１０８の画素クロック参照信号は、アドレッシング及びメモリ回路１０３に入力される。アドレッシング及びメモリ回路１０３に入力されるこれら３つの信号により、ビデオフィールドまたはフレーム内の画素位置が回路１０３のメモリ中の対応する値で決定される。このメモリ回路１０３からの値を、ビデオ信号の（所定の）ブランキング期間またはオーバースキャン部分に挿入または付加する。メモリ回路１０３は、波形制御をする波形特徴制御回路１０５によりライン１０９を介してプログラムされ、回路１０５は、例えば、ビデオ信号の所定のスキャンラインに高くしたバックポーチパルスを配置する。または、回路１０５は、ビデオ信号の部分を再生して、ビデオ信号のブランキング領域またはオーバースキャン領域に、一部変更された３レベル同期パルス、または一部変更されたバックポーチまたはフロントポーチレベル、または新しく発生した信号（例えば、３レベル疑似同期パルス及びまたはそれに続く信号）を含める。メモリ回路１０３のライン１１１と１１２の出力信号は、コンバイナ／インサータ回路１０４に挿入または付加する一部変更信号を含む。信号１１２は、制御信号を、波形の一部をビデオ信号のアクティブ部分（及びブランキング部分）に挿入または付加する１０４に結合する。コンバイナ回路１０４は、回路１０４に結合された端子１１３からの入来ビデオ信号に、所定ライン（及び／または画素位置）の信号の一部変更を結合または挿入する。コンバイナ回路１０４の出力は、出力端子１１４のビデオ一部変更信号である。例えば、図１４Ｂと図１４Ｃの関連する出力信号波形を見よ。ＤとＤ′はそれぞれ、所定スキャンラインの３レベル同期パルスに付加されたパルスまたは波形の一部変更を示す。図１４Ｂの例では、この一部変更は、例えばスキャンライン１１１８乃至１１２５、７乃至２０、５５５乃至５６２、及び５１９乃至５８２に適用可能である。パルスＡとＢの長さは６００ｎｓであり、パルスＣの長さは３７０ｎｓであり、パルスＤの長さは１２６０ｎｓであり、パルスＥの長さは３７０ｎｓである。パルスＤの振幅は、ピークホワイトレベルの２０％乃至１００％である。図１４Ｃの例では、この一部変更は例えばスキャンライン７４１乃至７４９、及び６乃至２０に適用可能である。パルスＡ′とＢ′の長さは550ｎｓであり、パルスＣ′の長さは566ｎｓであり、パルスＤ′の長さは1307ｎｓであり、パルスＥ′の長さは997ｎｓである。パルスＤ′の振幅は、ピークホワイトレベルの２０％乃至１００％である。もちろん、パルスまたは波形の振幅、長さ、位置は異なってもよい。
【００６５】
図１５Ａは、他のビデオ信号一部変更装置の一部のブロック図を示す。図１５Ｂと図１５Ｃの関連回路とともに、位置、またはパルス幅、及び／または振幅を変調した信号をビデオ信号変調のために発生する。これらの異なる一部変更された信号は、３レベル同期パルス、３レベル疑似同期パルス、またはそれに続くＡＧＣパルス（付加された正のパルス）または低くした、または高くしたバック（またはフロント）ポーチ領域等の信号である。図１５Ａでは、入来ビデオ信号「ビデオ・イン」は従来の３レベル同期パルス同期セパレータ回路２０２の入力端子２０１に結合される。この回路２０２は水平レートパルス（Ｈ）とフレームパルス（フレーム）を出力する。これらの２つの出力信号は、第１のカウンタ回路２０３に結合され、そのカウンタ回路２０３は、５２５、６２５、７５０、または１１２５ライン／フレーム（またはフィールド）等の特定のテレビ標準のスキャンラインをカウントする。７２０ｐは実際には７５０本のスキャンラインを有するが、その理由は「７２０」はＶＢＩラインをカウントしないアクティブビデオスキャンラインのみをいうからである。同様に、1080ｐは実際には1125本のスキャンラインを有するが、その理由は「１０８０」はＶＢＩラインをカウントしないアクティブビデオスキャンラインのみをいうからである。カウンタ回路２０３の出力信号は、第１のメモリ回路２０４の入力端子に結合される。第１のメモリ回路２０４は、所定の各ライン（例えば、一部変更される所定の各ビデオスキャンライン）に対して高論理レベルを出力するようにプログラムされている。
【００６６】
同期セパレータ２０２からの出力水平レート信号（Ｈ）は、フェーズロックループまたは画素クロック回路２０５に結合されている。回路２０５は、好ましくは水平ライン周波数Ｈの倍数である周波数を発生する。画素クロック回路２０５は、入来するビデオ・イン信号に好ましくはロックされる。画素クロック回路２０５の出力及び水平ライン信号は、第２のカウンタ回路２０６に結合される。回路２０６は、第２のメモリ回路２０７のアドレスビットを発生する。第２のメモリ回路２０７の出力信号の１つは、スキャンラインのピクセルにタイミングを合わせた（timed）パルスである。この出力信号は、回路２０８、２０９、２１０、２１１を含むプログラマブルデジタルタイミング回路に結合されている。セット・リセットフリップフロップ２０８のＳＥＴ入力（Ｓ）端子は、第２のメモリ回路２０７により画成されるパルスの始めをスタートする。ＡＮＤゲート２０９は、第３のカウンタ回路２１０に向かう画素周波数パルスをゲートで制御する。カウンタ回路２１０に印加されるプリセット信号に応じて、タイミングの長さが決まる。第４のカウンタ回路２１１は回路２１０にプリセット値を供給する。第４のカウンタ回路２１１は、一定の数のセットまたは変化する数のセット（例えば、カウントアップまたはカウントダウンして任意の数に戻る数）を供給する。端子Ｏｕｔ１４のフリップフロップ回路２０８の出力信号は、所定長さのパルスまたは可変長さのパルスである。
【００６７】
端子Ｏｕｔ１４の信号を、第２のメモリ回路２０７の出力端子Ｏｕｔ２の信号とロジック２１２（図１５Ｂ参照）を介して結合することにより、前縁または後縁を一部変更したパルスが出力端子Ｏｕｔ２２に出力される。ロジック２１２の出力信号を端子Ｏｕｔ２２の信号を介してタイミングジェネレータ２１３に結合して、（図示した）位置変調されたパルスが出力端子Ｏｕｔ２３またはＯｕｔ２４に供給される。
【００６８】
図１５Ｃは、図１５Ａの回路と関連する回路を示す。この回路は、パルス幅または位置が変調された信号を受けて、ＡＮＤゲート２１４または２１５を用いてこの変調された信号を所定のスキャンラインに配置する。スイッチ２１６は、ＡＮＤゲート２１５からの出力信号により制御されて、ＡＮＤゲート２１４からの出力信号をスイッチし、所定のスキャンラインの所定の画素のパルス幅変調信号または位置変調信号を決定し、レベル制御（可変抵抗）２２２を介してマルチプレクサ（加算器）回路２２１に結合される。（回路２２１は、加算器またはマルチプレクサまたはそれらの組み合わせである。）加算器回路２２１は、ＡＮＤゲート２２５からの挿入制御信号を受け取る。その制御信号は所定ラインの所定ピクセルへの挿入を制御する。オプションとして、パルス幅または位置変調された信号のさらなる（振幅）変調を振幅変調回路２１７を介して行う。変調回路２１７では、論理レベル信号はバッファ（アンプ）２１８を介して結合される。バッファ２１８は、オープンコレクタまたはオープンドレインの出力を有し、負荷抵抗ＲＬと電圧源Ｖｍｏｄを介して出力信号の振幅を決定する。バッファアンプＡ１２  ２１９はこの振幅変調された信号を受け取るように結合され、アンプ２１９の出力信号は、マルチプレクサ／加算器回路２２１の振幅変調信号に任意的に結合されており、ビデオ信号に挿入される。任意的に、アンプＡ１４  ２２４は、番組ビデオに一部変更が挿入または負荷された出力信号を発生する。端子Ｏｕｔ２からの入力信号は、これをＡＮＤゲート２２５を介して制御する。要素Ｖｍｏｄ、ＲＬ、２１８、及び２１９は振幅変調回路２１７の例である。電圧源の電圧Ｖｍｏｄを変化させることにより、スイッチ２１６が出力する信号またはパルスは振幅変調／調整される。信号源Ｖｍｏｄは、ＤＣ信号を含めていかなるタイプの信号も出力できる。
【００６９】
図１６は、（詳細は示さないが）コンテンツ制御またはコピープロテクションのためのシステムを示している。このシステムでは、ビデオ信号源３０１（ビデオテーププレーヤやＤＶＤプレーヤやその他の配信または放送されたビデオ番組の信号源等）がビデオコンテンツを担うビデオ信号を供給する。このビデオ信号は、モディファイア３０２の端子ＯＵＴに出力されるデジタルビットストリームまたはアナログ信号に１種類以上の一部変更（modification）を適用する制御データも含んでいる。ＤＶＤプレーヤやコンピュータタイプのハードディスクメディア信号源３０１の場合、コンテンツ制御またはコピープロテクションは、モディファイア３０２を介して、ビデオ信号源３０１からのビデオ制御番組制御データビットまたはビットストリームに適用される。
【００７０】
図１７は、コンテンツ制御またはコピープロテクションのための他のシステムを示す。より具体的に、制御状態リーダ４０３は、ＨＤＴＶ番組信号源４０１からのモディファイア４０２により一部変更されたビデオを解釈して、準拠ＨＤＴＶ装置４０４に対するコマンドを発生する。リーダ４０３は、入来ビデオの所定のスキャンラインにあるパルス数をコマンドとして解釈し、または、位置のシフト／変調、振幅レベル、振幅またはレベルのシフト／変調、パルス幅またはパルス幅変調をコンテンツ制御用の情報（コマンド）を伝える方法として解釈する。例えば、３レベル同期パルスの正のパルスが狭くなっている場合、３レベル同期パルスの正のパルスの通常のものと狭くなっているものの間のシーケンスが制御コマンドとなる。または、ＡＧＣパルス（付加された、標準でない正のパルス）がパルス幅変調されている場合、所定のＡＧＣパルスの幅もコマンドとなる。さらにまた、３レベル疑似同期パルスの周波数もコマンドとなる。
【００７１】
図１７において、準拠受信装置４０４は、ビデオレコーダ、ディスプレイ、またはインターフェイス装置（例えば、ＷｉＦｉトランスミッタやビデオ−ＵＳＢ／ＤＶＩ間コンバータ）であってもよい。これらの準拠装置は、一部変更信号に応答するように設計され得る。例えば、配信されるが表示はされない信号は、信号源４０１において一部変更された信号を有し、準拠ディスプレイ４０４には影響を与えるが、他の受信装置には影響を与えない。例えば、ＷｉＦｉトランスミッタは、３レベル同期パルスバックポーチの最初でそのクランプパルスを設定するが、表示装置はバックポーチ全体に反応する（sensitive）。モディファイア４０２においてビデオ信号を一部変更して、アクティブフィールドのバックポーチを高くすることにより、このＷｉＦｉトランスミッタによる伝送には問題はないが、表示装置では画面が非常に暗くなるとの効果があり、所望のコピープロテクション効果が得られる。
【００７２】
また、準拠受信装置４０４は双方向で動作することもできる。例えば、準拠装置４０４は、（ＤＶＤ）メディアプレーヤ等のビデオ信号源４０１に識別信号を送信する。メディア自体またはメディアプレーヤ４０１は、どの準拠装置の動作が許されるか認識して（または、特定の準拠装置に設定された制約を認識して）、信号を一部変更して、伝送は許さないが表示は可能としたり、所定期間の記録を可能とする等のより独立したやり方で受信装置４０４に影響を与えることができる。
【００７３】
一部変更の無効化／低減／一部変更効果
上記のように付加または挿入されたコンテンツ制御タグ／信号またはコピープロテクション信号で変更された高精細度テレビジョン信号（または３レベル同期パルスを含む他のビデオ信号）を、（おそらく他のエンティティにより）後で一部変更して、制御信号またはタグの結果をさらに変更したり、及び／または少なくともコピープロテクション信号の効果を一部変更することができる。以下の説明では、「タグ」は次のものを含む：ＨＤＴＶ  ＣＧＭＳ信号、バックポーチ信号、フロントポーチ信号、同期パルスを一部変更した１組の所定ライン（一部または全部に同期信号を削除したものを含んでもよい）、ＡＧＣパルス、３レベル疑似同期信号、１つ以上のテレビラインの所定の画素に挿入または付加された信号、またはデータ信号。タグはコンテンツ制御コマンドを担う。一実施形態では、３レベル同期信号等の基準信号は、少なくともコンテンツ制御の効果またはコマンドを変更するように一部変更してもよい。
【００７４】
かかる効果無効化または低減動作または装置は、不正コピーをするまたは可能化することを目的とするものとして、デジタルミレニアム著作権法（ＤＭＣＡ）の下、米国では違法であることに留意せよ。よって、以下に技術的な開示をするが、不法行為を勧めたり、奨励したり、有効化することを意図したものではない。
【００７５】
例えば、タグまたは高くしたバックポーチ信号をコンテンツ制御を目的として挿入する場合、それの前の３レベル同期パルスを受信装置がバックポーチ信号を位置特定（locate）するために使用できる。所定の３レベル同期パルスの十分大きな部分に削除、位置シフト、減衰、狭幅化、及び／またはレベルシフト等の一部変更をすると、少なくとも１つの挿入されたバックポーチ信号を正しく検出されない。また、所定の３レベル同期パルスの一領域または一期間に信号を付加すると、バックポーチ信号を正しく検出するのに必要な少なくとも３レベル同期パルスの検出または同期セパレーションを間違わせることができる。また、この例では、３レベル同期パルスを含むビデオの場合、少なくともタグ信号またはコピープロテクション信号の一部に位置シフト、レベルシフト、狭幅化、減衰、または削除することができる。少なくともタグの一部には、間違った検出（例えば、受信装置による）をするように、信号（例えば、干渉信号）が挿入または付加されている。
【００７６】
他の実施形態では、少なくともタグの１つの場所を移す（例えば、３レベル同期パルスまたは垂直同期パルスまたは信号に対して、タグの場所を移す）。例えば、タグを配置できるスキャンライン位置が１０箇所あり、そのうちの５つが使用され、一スキャンラインの近くにかたまっている場合、少なくとも１つのタグの位置を他の位置に変えることができる。さらに説明すると、タグがスキャンライン１０、１１、１２、１３または１４上にあるが、タグはスキャンライン１０−１９に配置できるとする。再配置したタグは、例えばスキャンライン１０、１１、１３、１４及び１９に配置される。もちろん、再配置の仕方は異なってもよい。さらに別の実施形態では、準拠装置に例えば適当なスキャンラインを間違えさせるように垂直同期パルスの少なくとも一部を一部修正することにより、タグのスキャンラインへの割り当てを狂わせることができる。例えば、最初の広い垂直同期パルスを削除して、最後の標準（通常）垂直同期パルスの後に広いパルスを付加すると、スキャンラインカウントは１カウント差し引かれる。スキャンラインカウントエラーにより、タグ及び／またはＨＤＴＶ  ＣＧＭＳ信号が間違って検出される。他の例では、インターレースシステムにおいてフィールド識別情報を一部変更する。このフィールド識別変更は、１つ以上のＶＢＩの垂直同期信号または垂直同期信号の一部を一部変更することにより行える。このように、コンテンツ制御システムは、データ信号を位置特定するために正しい同期信号に依存するから、フィールド（例えば、奇または偶）に関連するデータ信号を他のフィールド（例えば、偶または奇）にあると見なされる。他の方法では、データ信号を他のフィールドに動かすだけであるが、それはコンテンツ制御システムにおいて正しいまたは正しくない読みを決定するのは、データとフィールドまたは同期信号の間の相対的な位置だからである。
【００７７】
図１８は、（詳細は示さないが）上記の通りコンテンツ制御またはコピープロテクション信号がすでに付加された入来ビデオ信号（またはビデオビットストリーム）を受信するプロセッサ装置５０１を示している。プロセッサ５０１は、入来ビデオ信号（またはビットストリーム）を一部変更して、（例えば、準拠装置に対する）コンテンツ制御コマンドを変更するか、またはコピープロテクション信号の効果を一部変更する（すなわち、コピープロテクションを低減または削除して一部変更された出力ビデオを発生する）。プロセッサ５０１の一例は、上記の通り３レベル同期パルスを有し関連するパルスが付加または削除されたビデオ信号で使用される。コンテンツ制御信号が所定の３レベル同期部分が削除された信号に基づく場合、プロセッサ５０１は削除された３レベル同期部分を再生する。入力ビデオ信号またはビットストリームがコンテンツ制御のために負荷された画素ビットを含むさらに別の場合、プロセッサ５０１はこれらの画素ビットを削除または一部変更する。
【００７８】
図１９は、より具体的に、３レベル同期パルスを有する入力ビデオ信号を示す図である。この入力ビデオ信号は、少なくとも１つのビデオチャネルのコンポーネントであってもよく、少なくとも１つのチャネルが３レベル同期パルスを有する。また、入力ビデオ信号は、コンテンツ管理またはコピープロテクション信号を伝えるために、上記のように一部変更された、そのブランキング期間またはアクティブビデオ信号の一部に上記の一部変更を有してもよい。この入力ビデオ信号は、プロセッサ５０２に結合される。このプロセッサ５０２は一部変更された３レベル同期パルスを処理して、一部変更された出力ビデオ信号を出力する。プロセッサ５０２はコンテンツ管理コマンドそ変更し、コピープロテクション信号の効果を変化または低下させる。たとえば、入力ビデオ信号は、３レベル同期パルスを含むが、付加された３レベル疑似同期パルス及び／またはＡＧＣパルスを有する。プロセッサ５０２は、かかる３レベル疑似同期パルスの一部またはＡＧＣパルスの一部を減衰または削除する。他の例では、ＡＧＣパルスまたは３レベル疑似同期パルスは変調されている場合、このプロセッサ５０２により低下または変更し、コピープロテクション効果またはコンテンツ管理コマンドの結果を変化させる。変調を変える方法は、ＡＧＣまたは３レベル疑似同期パルスの様々なレベルを、静的なＡＧＣパルスまたは静的な３レベル疑似同期パルスを用いて、プロセッサ５０２等で静的信号に置き換えることである。静的パルスの一例は、位置、幅、周波数及び／または振幅が一定の信号である。例えば、その振幅、周波数、または位置が時間的に変更され、コンテンツ制御情報信号を伝える、または動的なコピー／ディスプレイプロテクション信号を発生する変調信号である。（この動的信号をより静的な信号に変形して）少なくとも動的効果を低下させることにより、コマンドまたはコピープロテクションの効果を結果として一部変更または低下させる。
【００７９】
図２０は、プロセッサ５０３を示し、このプロセッサ５０３は入力ビデオ中に付加されたタグの効果を変化させる。かかるプロセッサは、タグ自体ではない、入力ビデオ信号の一部を一部変更してもよい。例えば、タグの前の３レベル同期パルスの少なくとも一部を削除することにより、タグを検出されなくすることができる。準拠装置は、タグを受信すると、標準のまたは検出可能な３レベル同期信号を使用して次のタグを位置特定するからである。タグを位置特定するための３レベル同期パルスがないと、タグは準拠した受信装置（図示せず）により検出されない。図２０は、プロセッサ５０３がタグ自体の少なくとも一部を一部変更（modify）して、タグを削除、減衰、信号付加（例えば、そのタグの前、中、または後ろに干渉信号を付加）、または振幅または位置をシフト等できることも示している。同様に、垂直同期信号の少なくとも一部を削除または位置変更すると、（例えば、準拠装置またはコンテンツ制御システムにおいて）タグが読み間違えられる。
【００８０】
図２１は、入来ＨＤＴＶコンテンツプロテクション／ビデオコピープロテクション信号（ＣＰＳ）の効果を一部変更するプロセッサ５０４を示している。また、その効果の一部変更には、コンテンツプロテクションまたはコピープロテクション信号の外側のビデオ信号の一部を変更することも含まれる。例えば、３レベル同期パルスを有する入来ビデオがデータ信号（例えばＣＧＭＳのＨＤＴＶバージョン）でコンテンツプロテクションされている場合、このデータ信号の対応３レベル同期パルスの少なくとも一部を一部変更することにより、データ信号を間違って検出させることができる。また、垂直同期信号を一部変更して、例えば垂直同期信号の少なくとも一部を遅らせるか進めて、例えば、受信装置においてデータ信号の正しいスキャンライン位置を狂わせることができる。異なる位置に「偽の」垂直パルスまたは信号を挿入することにより、タグまたはデータ信号を特定するためのスキャンラインカウントを間違わせることもできる。かかる偽の垂直パルスまたは信号を付加する時、例えば、再生性を高めるために、下の垂直同期信号の少なくとも一部を削除することが好ましい。さらにまた、効果の一部変更は、コンテンツ制御またはコピープロテクション信号の一部の一部変更を意味する。例えば、データ信号の少なくとも一部の一部変更により、受信装置による間違ったタグ検出や読み取りが起こり得る。
【００８１】
図２１の他の例では、入来３レベル同期パルスビデオ信号は、上記のように、少なくとも１つのビデオチャネルにおいて、付加したタグまたはデータまたは３レベル疑似同期パルスまたはＡＧＣパルスの組み合わせにより、すでにコンテンツ管理またはコピープロテクションがされている。装置（プロセッサ）５０４は、ビデオチャネルの上記の付加信号の削除、減衰、レベルシフト、狭幅化または広幅化、または位置シフトを行い、コンテンツ管理システムまたはコピープロテクション信号の効果を一部変更し得る。
【００８２】
図１８、１９、２０、２１のプロセッサ及びここに開示したその他のものは、アナログ回路、デジタル回路、ソフトウェア、または（マイクロプロセッサまたはマイクロコントローラにより実行される）ファームウェアのいかなる組み合わせで実施してもよいことに留意せよ。
【００８３】
図２２は、上記のようにコンテンツ制御またはコピープロテクション信号を一部変更する装置（プロセッサ）のブロック図の例である。端子７１４の入力ビデオは同期セパレータ７０１に結合される。垂直またはフレームレート信号Ｖと垂直ラインレート信号Ｈが、同期セパレータ７０１から出力される。信号Ｖはタイミング回路７０２に結合される。タイミング回路は、例えば、所定のスキャンラインに対して論理ハイ信号を出力する。信号Ｈはタイミング回路703に結合される。タイミング回路は、例えば、スキャンラインの所定の部分に対して論理ハイ信号を出力する。タイミング回路７０２と７０３の出力は、ＡＮＤゲート７０７により論理的に結合される。ＡＮＤゲート７０７は、ライン７１１の所定の部分または画素の所定のスキャンラインに対して、論理ハイ信号を出力する。ゲート７０７の出力は、１つ以上の３レベル疑似同期パルスまたはＡＧＣパルスの少なくとも一部と一致する信号である得る。水平同期パルス信号Ｈもタイミング回路７０４に結合される。タイミング回路７０４は、ＨＢＩ等の所定のブランキング期間に対して論理ハイである出力を供給する。ライン７１２のタイミング回路７０４の出力は、ライン７１３で、ＯＲゲート７０８によりゲート７０７の出力と結合される。ライン７１３上のＯＲゲート７０８の出力は、駆動されると、スイッチ７０６を制御し、そのスイッチ７０６は端子７１４の所定のビデオ部分を基準信号Ｖｓｉｇで置き換える。
【００８４】
一例では、基準信号Ｖｓｉｇは一定電圧であり、スイッチ７０６は、水平３レベル同期パルスのフロントポーチまたはバックポーチ中の信号（例えば、高くしたフロントポーチパルスまたはバックポーチパルス）を固定電圧で置き換える。また、スイッチ７０６は、付加された疑似同期パルスまたはＡＧＣパルスがある少なくともビデオ信号領域を、固定電圧で置き換える。アンプ７１０を介した出力信号ＯＵＴは、削除または一部変更された３レベル同期パルスがあるコンテンツ制御またはコピープロテクション信号の十分な部分を有し、コンテンツ制御コマンドを変更するか、またはコピープロテクション信号の効果を低下させられる。留意すべきことは、バックポーチ信号を削除または一部変更するだけで、タイミング回路７０４の出力端子はスイッチ７０６に直接結合され、そのためコンポーネント７０７、７０８、７０３、および７０２は必要ないことである。
【００８５】
図２３は、入力ビデオ信号（例えば、３レベル同期パルスビデオ）を一部変更して、ビデオ入力信号の一部を再生された同期パルスまたは３レベル同期パルスで置き換える他の装置を示す。入来ビデオＶＢＩまたはＨＢＩの一部も置き換えられる。例えば、ビデオ入力信号は、非対称負／正３ライン同期パルス等の標準でない所定の３レベル同期パルスを含む場合、図２３の装置は、入来する変更された３レベル同期パルスをほぼ通常のパルスで置き換える。また、例えば、入来ビデオ信号が所定の３レベル同期パルスに続き付加信号を有する場合、図２３の装置はかかる付加信号（の少なくとも一部）をブランキングレベル等の信号で置き換える。さらにまた、例えば、入来ビデオ信号がＡＧＣパルスに続き付加された３レベル疑似同期パルスを有する場合、図２３の装置はこの付加された信号の少なくとも一部をブランキングレベルのより通常の信号で置き換える。入来ビデオ信号がコンテンツ制御の目的で検出される所定の３レベル同期パルス（または３レベル同期パルスの一部）を有する場合、図２３の装置は、１つ以上の失われた３レベル同期パルス（または失われた３レベル同期パルスの一部）を置き換える。例えば、それにより、コンテンツに関連する制御コマンドが変化する。  
図２３において、端子８０９の入来ビデオ信号は、同期セパレータ８０１に結合されている。同期セパレータ８０１の出力は、ライン８１２を介して同期ジェネレータ回路８０２に結合される。同期ジェネレータ回路８０２は、同期セパレータ８０１の出力信号に実質的にロックされる。例えば、ライン８０３上の同期ジェネレータ８０２の出力は、７２０ｐまたは１０８０ｉＨＤＴＶの場合、標準３レベル同期パルス等の正しい（標準の）同期信号を有する。ライン８０４上の同期ジェネレータ８０２のその他の出力は、ＨＢＩまたはＶＢＩを示すパルスを供給する。ライン８０３上の同期セパレータ８０２からの標準同期信号出力は、アンプ８０５に結合される。その単婦８０５は、ライン８１０上にビデオ信号の正しい同期パルスレベルを出力する。スイッチ８０６は、その制御端子にジェネレータ８０２のＨＢＩ／ＢＶＩパルスを受けて、アンプ８０５からの再生された（実質的に）標準の同期の少なくとも一部を入来ビデオにスイッチする。スイッチ８０６からの出力はアンプ８０７を介して出力端子８０８に出力され、入来ビデオを一部変更し、標準でない同期パルスから標準でない同期パルスが少ない、または無いビデオ信号に一部変更する。入力ビデオはＨＢＩに標準でない信号レベル（例えば、フロントまたはバックポートパルス、または非標準の３レベル同期パルス）を有する場合、端子８０８の出力信号はこれらの非標準（ＶＢＩまたは）ＨＢＩ信号がより少ないビデオである。例えば、標準ＨＢＩ信号は、Ｙ、Ｐｂ、及びＰｒチャネルの標準レベルの３レベル同期パルスとともに、Ｙチャネルの場合、ブランキングレベル等の標準的な基準のフロント及びバックポーチレベルを含み、ＰｂまたはＰｒチャネルの場合、約０ボルトのフロント及びバックポーチレベルを含む。
【００８６】
図２４は、ビデオコンテンツ制御またはコピープロテクション信号を一部変更する他の装置を示す。例えば、３レベル同期パルスに続く付加信号がある場合、この装置はその付加信号を減衰する。このように、例えば、コンテンツ制御信号は読み間違えられ、コピープロテクション信号は有効性が低くなり、例えばコピーや配布が容易になる。端子１００４のビデオ信号入力は、同期セパレータ１００１に結合され、同期セパレータ１００１からの水平レートパルスＨはタイミング回路１００２に結合される。タイミング回路１００２の出力は、ビデオ信号の少なくとも一部と同時の信号を含む。ビデオ信号のこの部分は、ＨＢＩの一部またはアクティブビデオスキャンラインの一部である。スイッチ１００３は、回路１００２からの出力信号を受け、ビデオ入力を（抵抗１００５を介して）制御可能に分路して、ＡＣ接地する（好ましくは低インピーダンスを介して）。スイッチ１００３は、ここで開示した他のスイッチと同様に、アナログスイッチ、トランジスタ、固体デバイス、またはアクティブデバイスである。スイッチ１００３は、従来のフィルタキャパシタで出力端子１０１０に結合され得る。図２４は、このように、ビデオ信号の少なくとも所定部分の減衰を使用して、コンテンツ制御信号の効果またはコマンドを変更するか、または例えば３レベル同期パルスビデオコピープロテクション信号の効果を一部変更する方法を示す。タグ信号またはコピープロテクションまたはディスプレイプロテクション信号が一般的に一部のディスプレイに通常以下の画像を表示させる例では、図２４等の減衰方法により一部のディスプレイのクランプエラーが低下する。図２４等の減衰方法がないと、不正な表示または配布ができない。
【００８７】
図２５は、入来ビデオ信号の一部を一信号で置き換えて、コンテンツ制御信号またはコピープロテクション信号の効果を変更または無効化または低下する、幾分類似した装置を示す。例えば、端子１００４の３レベル同期パルスビデオ入力信号は、同期セパレータ１００１とＤＣ再生回路１００９とに結合される。同期セパレータ１００１の出力信号はタイミング回路１００２に結合される。タイミング回路１００２は、コンテンツ制御信号またはコピープロテクション信号の少なくとも一部と同時のパルスを出力する。ＤＣ再生回路１００９により、ブランキングレベルは動的な平均画像レベルで実質的に一定となる。ＤＣ再生回路１００９の出力信号は、スイッチ１００３の一入力端子と結合され、基準電圧源ＶＲｅｆはスイッチ１００３の他の入力端子と結合される。スイッチ１００３の出力信号は、基準電圧で置き換えた入来３レベル同期パルスビデオ信号の少なくとも所定の一部を有する。端子１０１０上のアンプ１００７の出力は、一部変更されたコンテンツ制御信号またはコピープロテクション信号を有する３レベル同期ビデオパルス信号である。例えば、この置き換えによる一部変更は、コピープロテクション信号の効果を低下させ、またはコンテンツ制御信号のコマンドを変更する。（ＶｒｅｆはＡＣまたはＤＣの信号または波形である。）
図２４と図２５の装置は、ＨＢＩ中の付加信号の少なくとも一部を狭幅化するために使用することもできる。例えば、タイミング回路１００２は、バックポーチパルスの期間の一部とちょうど同時に生じるパルスを発生し、出力端子１０１０上の出力信号の効果は狭幅化されたバックポーチパルスである。他の例では、タイミング回路１００２は、バックポーチパルスの１つ以上の部分にパルスを供給する場合、バックポーチパルスは２つ以上の狭幅化されたパルスに分割される。この分割によりコンテンツ制御またはコピープロテクション信号の少なくとも１つの効果が変化する。  
図２６Ａは、ゲイン制御または狭幅化を用いてコンテンツ制御信号またはコピープロテクション信号の効果を変化させる装置を示す。端子1105の入来ビデオは同期セパレータ1001に結合される。同期セパレータ１００１の一出力端子は、水平レートパルスＨを供給し、それはタイミング回路１１２０に結合される。回路１１２０の出力信号は、同期パルスの前に始まる水平レートパルスであり、回路１１０１Ｈからのこの水平レートパルスはカウンタ回路１１０２に結合される。カウンタ回路１１０２は、同期セパレータ１００１から、リセットフレーム（フレーム）または垂直パルス（Ｖ）を受け取る。カウンタ１１０２の出力端子は、メモリ回路１１０３のアドレス入力端子に結合される。一実施形態では、入来ビデオ信号の所定部分は、ビデオ信号の他の部分に対して振幅が効果的に高くされており、通常の同期信号を検出するが、一方、３レベル疑似同期パルスは検出させない。このように、メモリ１１０３からの「所定ライン１」と「Ｖｓｙｎｃライン」出力信号は、ＡＮＤゲート１１０４とタイミング回路１１０５の入力端子にそれぞれ結合される。タイミング回路１１０５は、同期セパレータ１００１からの水平レート（Ｈ）パルスも受け取り、その３レベル同期パルスの少なくとも一部（または全部）と同時のパルスを発生する。ＡＮＤゲート１１０４は、「所定ライン１」出力信号もメモリ回路１１０３から受け取る。タイミング回路１１０５の出力は、ＡＮＤゲート１１０４と結合された１つ以上の垂直同期パルスと同時のパルスも発生する。ＡＮＤゲート１１０４は、標準同期パルスがある場合に論理ハイであり、疑似同期パルスがある場合に一般的に論理ローであるパルスをゲイン制御回路１１０６に出力するゲイン制御回路１１０６が３レベル同期パルスビデオ信号の少なくとも一部を制御するので、一組の標準同期パルスはゲイン制御回路１１０６からの出力端子上の一組の疑似同期パルスより高くなる。少なくともいくつかの所定の標準（３レベル）同期パルスの振幅を（例えば、疑似同期または３レベル疑似同期信号に対して）高くすることにより、少なくとも付加された３レベル疑似同期（または疑似同期）パルスが信頼性高く検出できないので、コンテンツ制御コマンドまたは有効性、またはコピー制御／コピープロテクション有効性／効果を変化させることができる。
【００８８】
図２６Ａの装置も、３レベル疑似同期パルスまたはＡＧＣパルスの一部を狭幅化または削除する。タイミング回路１１０７は、同期セパレータ１００１から水平レートパルスＨを受け取り、３レベル疑似同期またはＡＧＣパルスの少なくとも一部と同時の信号を発生する。メモリ回路１１０３は、３レベル疑似同期パルスがある、少なくともスキャンラインを示す「所定ライン２」信号を発生する。ＡＮＤゲート１１０８は、タイミング回路１１０７からの出力信号とメモリ１１０３からの「所定ライン２」信号を論理的に結合し、３レベル（同期または）疑似同期値またはＡＧＣパルスの少なくとも一部と同時の、制御スイッチ１１０９に結合される信号を発生する。スイッチ１１０９は、電圧源１１１０からの信号を３レベル疑似同期（または同期）パルスまたはＡＧＣパルスの所定部分に挿入する。出力端子１１０３上の信号の例は、期間が狭幅化された少なくとも３レベル同期（または疑似同期）またはＡＧＣパルスである。出力端子１１３０上の信号の他の例は、十分な数の３レベル同期（または疑似同期）またはＡＧＣパルスまたはその部分の削除であり、コンテンツ制御信号コマンドを変更、またはコピープロテクション信号の効果を低下させる。
【００８９】
図２６Ｂ（図２６Ａの続き）は、無効化（例えば、効果の低減）または一部変更のための信号をコンテンツ制御またはコピープロテクション信号の少なくとも一部に付加する２つの例を示す。同期セパレータ１１０１の出力信号は、タイミング回路１１１８の端子１１５０に結合され、その出力は、ＡＮＤゲート１１１９の入力端子に結合される。例えば、タイミング回路１１１８は、少なくともバックポーチ（またはフロントポーチ）部分またはアクティブ部分、または３レベル疑似同期パルスがある位置を示す信号を発生する。メモリ回路１１０３は、ＡＮＤゲート１１１９に結合されたその出力端子１１２４に、「所定ライン３」と示された信号を出力する。ゲート１１１９の出力信号は、少なくとも、ＨＢＩ（例えば、フロントまたはバックポーチ信号）中の付加されたパルスまたはＶＢＩ（例えば、３レベル疑似同期またはＡＧＣパルス）またはその周辺の付加された信号を示す付加信号を示す信号である。スケーリングファクタ回路１１１７（ファクタＫによるスケーリング）は、ゲート１１１９のロジックレベルの出力信号を、ビデオレベルの信号に変換する。その信号は合計回路１１１６に結合される。合計回路１１１６の他の入力は、端子１１５２のゲイン制御１１０６からの入来ビデオである。このように、端子１１３４上の合計回路１１１６の出力はビデオ信号であり、レベルシフト信号がその入来ビデオ信号に付加されている。レベルシフトは、このように付加信号の一部のレベルを変更する。このレベルシフトにより、所定の３レベル同期パルスまたは垂直同期パルスの少なくとも一部をシフトする。これにより、バックポーチ信号またはＨＤＴＶ  ＣＧＭＳ信号の検出間違いが起こる。
【００９０】
出力端子１１３２の図２６Ｂの装置のさらに他の出力は、合計回路１１１５に（スイッチ１１３６を介して）、電圧源１１１２（または電圧源１１１３）からの基準信号を、すでに合計されたビデオ信号に加え、コンテンツ制御またはコピープロテクション信号、または３レベル同期パルスまたは垂直同期パルスの所定部分の少なくとも一部に干渉またはレベルシフトまたは歪める。この加算により、コンテンツ制御信号のコマンドが変化し、またはコピープロテクション信号の効果が低下する。すなわち、電圧源１１１３からの電圧はゼロにセットされ、しかし、電圧源１１１３は信号電圧を供給して電圧源１１１２にスイッチされていないとき、入来ビデオ信号に異なる波形を加算する。例えば、電圧源１１１３からの電圧は、所定のアクティブフィールドラインに対する基底（pedestal）電圧であり、例えば、コンテンツ制御またはコピー／ディスプレイプロテクション信号により暗い信号を「明るく」する基底電圧であってもよい。
【００９１】
図２７Aは、３レベル同期パルスと関連するデータ信号の波形を示す。個のデータ信号は例えば、HDTV  CGMSであってもよい。３レベル同期パルス１２１０はデータ信号の前にある。基準信号１２００、例えばスタートパルスまたはビットまたはサイクルのパケット、とデータビット１２０１によりデータ信号はなっている。図２７Bは、基準信号１２００を一部変更することにより、図２７Ａのデータビット１２０１の読み間違いを引き起こすための無効化波形を示す。ここで、図２７Ｂでは、基準信号１２００は減衰または削除されている。所望の効果を達成するためには、基準信号１２００の十分な部分をそのように一部変更すればよい。また、データビットのかかる読み間違いは、重畳して示した矢印ａ、ｂ、ｃ、ｄにより示したように、図２７Ｃに示したように、基準信号１２０２の少なくとも一部を、変調、減衰、削除、狭幅化、エッジシフト、のこぎり歯状化、移動等することにより、一部変更することにより実現できる。図２７Ｃは、データビット１２０１′の読み間違いを起こすさらに他の方法を示す。この方法は、矢印Ｅで示したように、データビット１２０５の一部を、狭幅化、圧縮、レベル変更、位置シフト、拡張等して変更することにより、行われる。また、このタイプの変更は、データビットにより伝えられるコマンドの変化になることが多い。
【００９２】
さらに別の実施形態では、例えば、コンテンツ制御（ＨＤＴＶまたは非ＨＤＴＶの場合）複数方向の（例えば、双方向の）通信またはリンクを組み込んでもよい。リンクにより、コンテンツ制御システムに、使用する装置のタイプを「伝える」ことができる。コンテンツ制御システムは、適当なコンテンツ制御または装置管理信号を出力してもよい。コンテンツ制御システムは、その装置に、信号の一部変更を他の装置にコンテンツ制御またはコンテンツプロテクションのレイヤとは別のレイヤで送るように命じ得る。実施形態には、ＨＤＴＶ信号の所定の画素への信号の付加、挿入、または削除の組み合わせが含まれる。さらに別の実施形態は、コンピュータネットワーク環境におけるコンテンツ制御システムである。１つ以上の信号源／装置が検出され、適当な信号またはコマンドがネットワークを介して送信されて、様々な装置の柔軟なコンテンツ制御またはコンテンツプロテクションを可能とする。
【００９３】
留意すべきことは、コンテンツ制御またはコピー／ディスプレイプロテクション信号の場合、Ｗｏｎｆｏｒ等の米国特許第５，５８３，９３６号に記載されたように、余分な信号エンハンスメント（enhancement）を使用する。この文献はここにその全体を参照援用する。これらのタイプの信号エンハンスメントは、この開示に従って、ＨＤＴＶ信号全体の一部で行われる。これらの信号エンハンスメントにより、より効果的なＨＤＴＶコピーまたはディスプレイプロテクションプロセスとなり、またはコピーまたはディスプレイプロテクション信号の一部となる。例えば、実施形態のいくつかがＡＧＣ反応を生じる場合、そのエンハンスメントはその効果または有効性を増すまたは一部変更する。実施形態のいくつかによりディスプレイが一般的に見ても分からない画像を表示する場合（たとえば、ディスプレイ装置またはビデオインターフェイスユニットにおけるクランプエラーによる）、エンハンスメントにより画像はより見にくくなる。それゆえ、米国特許第５，５８３，９３６等の信号一部変更エンハンスメントは、一部変更された信号をテレビフィールドの下部または上部のＨＤＴＶラインに挿入し、エンターテイメント値の損失を増やす（例えば、ＨＤＴＶディスプレイ上のティアリング（tearing）または不安定性等、またはＨＤ装置上のより大きなノイズ／干渉）。米国特許第５，５８３，９３６号のエンハンスメント方法は、所定ラインの一部のブランキング、所定のライン部分または部分への信号の付加、削除、またはＨＢＩまたはＶＢＩまたはＨＤＴＶ信号の所定の画素中の一部の狭幅化または減衰の任意の組み合わせとしてＨＤＴＶに適応できる。また、米国特許第５，５８３，９３６号に開示されたような効果の無効化または低減または一部変更方法もＨＤＴＶに適用可能である（例えば、コンテンツ制御信号またはコピー／ディスプレイプロテクション信号）。
【００９４】
この開示は、例示であって限定ではない。さらに別の一部変更もこの開示を考慮して当業者には明らかであり、添付したクレームの範囲内に入る。  
【図面の簡単な説明】
【００９５】
【図１Ａ】ビデオを一部変更する本システムを示すブロック図である。
【図１Ｂ】一部変更された信号を受信するコンテンツコントロール装置を示すブロック図である。その信号は読み取られ、コマンド信号が準拠装置に送信される。
【図２】他のビデオチャネルを示す、図１Ａに示したシステムのブロック図である。
【図３】ＨＤＴＶビデオ信号の先行技術の波形を示す図である。
【図３Ｂ】ＨＤＴＶビデオチャネル（例えば、Ｙ、輝度）の先行技術の波形を示す図である。
【図３Ｃ】他のＨＤＴＶビデオチャネル（例えば、ＰｒまたはＰｂ、色差）の先行技術の波形を示す図である。
【図４Ａ】コンテンツコントロール及び／またはコピープロテクションに使用されるビデオチャネルへの一部変更を示す図である。
【図４Ｂ】コンテンツコントロール及び／またはコピープロテクションに使用される他のビデオチャネルへの一部変更を示す図である。
【図５Ａ】少なくともフロントポーチ及び／またはバックポーチの一部を低くしたさらに別の一部変更を示す図である。
【図５Ｂ】少なくともフロントポーチ及び／またはバックポーチの一部を低くしたさらに別の一部変更を示す図である
【図６Ａ】任意の正または負の（パルスの）長さ／振幅を有する３レベル疑似同期パルスの追加または挿入を示す図である。
【図６Ｂ】所定の１つ以上のラインの３レベル疑似同期に続いて挿入または追加された信号を示す図である。任意的に、その３レベル同期パルスに続く領域の一部は高く（lifted）または低くされる。また、任意的に、３レベル同期パルス後に追加または挿入された信号は変調される。
【図６Ｃ】３レベル同期信号に続いて挿入または追加された信号は振幅変調、位置変調及び／またはパルス幅変調されている。この３レベル同期信号は３レベル疑似同期パルス及び／または３レベル同期パルスを含む。任意的に、この３レベル同期信号に続く領域の一部は高く（lifted）または低くされる。
【図６Ｄ】１つ以上の３レベル疑似同期パルスがビデオラインに加えられるようすを示す。これらの（１つ以上の）３レベル疑似同期パルスに続いて、任意的に信号が追加または挿入される。任意的に信号が３レベル同期パルスの後に追加または挿入される。
【図６Ｅ】３レベル疑似同期パルスの挿入を示す。任意的に、３レベル同期パルスの後に信号が追加または挿入される。
【図７】３レベル同期の正パルスのレベルが変化する３レベル疑似同期パルスを示す。任意的に、３レベル疑似同期パルスに続く信号は変調される。また任意的に、３レベル疑似同期パルスに続く部分は高くまたは低くされる。
【図８】３レベル同期または３レベル疑似同期の負部分及び／または正部分の振幅、位置、及び／またはパルス幅が変調または変更されるようすを示す図である。
【図９Ａ】レベルが変更された３レベル同期パルスの正パルスの少なくとも一部を示す図である。このレベル変更は、例えば、下のブランキングレベルから上のブランキングレベルまで広がる。
【図９Ｂ】負パルスの後縁と正パルスの前縁の間のギャップを示す図である。このギャップはゼロの場合（zero  separation）も含む。また、正の部分もバックポーチ部分及び／またはアクティブビデオ部分に伸びてもよい。ギャップ電圧Ｇ１は、ブランキング（例えば、０ボルトより高い）または非ブランキングレベル電圧（例えば、正及び／または負の電圧）を前提とする。
【図９Ｃ】３レベル同期パルスの正の部分が狭められたところを示す図である。この部分はレベルが変化する。
【図９Ｄ】３レベル同期パルスの正の位置が狭められ、及び／またはシフトされたところを示す図である。
【図９Ｅ】３レベル同期パルスの正の部分の長さを伸ばしたところを示す図である。
【図９Ｆ】３レベル同期パルスの負の部分と正の部分の間のギャップを示す図である。正の部分の長さは伸ばしてもよい。
【図１０Ａ】先行技術の３レベル同期パルスを示す図である。
【図１０Ｂ】３レベル同期パルスの負の同期部分の位置をシフトした場合を示す図である。
【図１０Ｃ】３レベル同期パルスの負の同期部分を狭くした場合を示す図である。
【図１０Ｄ】３レベル同期パルスの負の同期部分を狭くした他の場合を示す図である。
【図１１Ａ】先行技術のビデオ信号を示す図である。
【図１１Ｂ】同期セパレータ回路の出力を示す図である。
【図１１Ｃ】３レベル同期パルスの正の部分のサンプル信号を示す図である。
【図１１Ｄ】バックポーチのサンプル信号を示す図である。
【図１１Ｅ】３レベル同期パルスの負の部分のサンプル信号を示す図である。
【図１２】典型的な先行技術の自動利得制御回路を示す図である。
【図１３Ａ】ビデオレコーダを不安定にする波形の一部変更を示す図である。
【図１３Ｂ】ビデオレコーダを不安定にする波形の一部変更を示す図である。
【図１３Ｃ】一部変更された３レベル同期パルスを示す図である。
【図１３Ｄ】一部変更された３レベル同期パルスを示す図である。
【図１４Ａ】ビデオ信号を一部変更する装置を示す図である。
【図１４Ｂ】１０８０ｉと７２０ｐのＨＤＴＶ信号に対する一部変更を示す図である。
【図１４Ｃ】１０８０ｉと７２０ｐのＨＤＴＶ信号に対する一部変更を示す図である。
【図１５Ａ】ビデオ信号を一部変更するさらに別の装置を示す図である。
【図１５Ｂ】ビデオ信号を一部変更するさらに別の装置を示す図である。
【図１５Ｃ】ビデオ信号を一部変更するさらに別の装置を示す図である。
【図１６】制御ビットを組み込むビデオ信号の一部変更を示す図である。
【図１７】信号の一部変更の少なくとも１つを使用するコンテンツ制御システムを示す図である。
【図１８】コンテンツ制御またはコピープロテクションの効果を破るまたは低下させるプロセッサを示す図である。
【図１９】コンテンツ制御またはコピープロテクションの効果を破るまたは低下させるプロセッサを示す図である。
【図２０】コンテンツ制御またはコピープロテクションの効果を破るまたは低下させるプロセッサを示す図である。
【図２１】コンテンツ制御またはコピープロテクションの効果を破るまたは低下させるプロセッサを示す図である。
【図２２】図１８乃至図２１に示したプロセッサの詳細を示す図である。
【図２３】図１８乃至図２１に示したプロセッサの詳細を示す図である。
【図２４】図１８乃至図２１に示したプロセッサの詳細を示す図である。
【図２５】図１８乃至図２１に示したプロセッサの詳細を示す図である。
【図２６Ａ】図１８乃至図２１に示したプロセッサの詳細を示す図である。
【図２６Ｂ】図１８乃至図２１に示したプロセッサの詳細を示す図である。
【図２７Ａ】先行技術のデータまたはコンテンツ制御信号を示す図である。
【図２７Ｂ】コンテンツ制御コマンドを改変する先行技術の信号の一部変更をした波形を示す図である。
【図２７Ｃ】コンテンツ制御コマンドを改変する先行技術の信号の一部変更をした波形を示す図である。
【図１Ａ】
2008519485.tif 000003
【図１Ｂ】
2008519485.tif 000004
【図２】
2008519485.tif 000005
【図３Ａ】
2008519485.tif 000006
【図３Ｂ】
2008519485.tif 000007
【図３Ｃ】
2008519485.tif 000008
【図４Ａ】
2008519485.tif 000009
【図４Ｂ】
2008519485.tif 000010
【図５Ａ】
2008519485.tif 000011
【図５Ｂ】
2008519485.tif 000012
【図６Ａ】
2008519485.tif 000013
【図６Ｂ】
2008519485.tif 000014
【図６Ｃ】
2008519485.tif 000015
【図６Ｄ】
2008519485.tif 000016
【図６Ｅ】
2008519485.tif 000017
【図７】
2008519485.tif 000018
【図８】
2008519485.tif 000019
【図９Ａ】
2008519485.tif 000020
【図９Ｂ】
2008519485.tif 000021
【図９Ｃ】
2008519485.tif 000022
【図９Ｄ】
2008519485.tif 000023
【図９Ｅ】
2008519485.tif 000024
【図９Ｆ】
2008519485.tif 000025
【図１０Ａ】
2008519485.tif 000026
【図１０Ｂ】
2008519485.tif 000027
【図１０Ｃ】
2008519485.tif 000028
【図１０Ｄ】
2008519485.tif 000029
【図１１Ａ】
2008519485.tif 000030
【図１１Ｂ】
2008519485.tif 000031
【図１１Ｃ】
2008519485.tif 000032
【図１１Ｄ】
2008519485.tif 000033
【図１１Ｅ】
2008519485.tif 000034
【図１２】
2008519485.tif 000035
【図１３Ａ】
2008519485.tif 000036
【図１３Ｂ】
2008519485.tif 000037
【図１４Ａ】
2008519485.tif 000038
【図１４Ｂ】
2008519485.tif 000039
【図１４Ｃ】
2008519485.tif 000040
【図１５Ａ】
2008519485.tif 000041
【図１５Ｂ】
2008519485.tif 000042
【図１５Ｃ】
2008519485.tif 000043
【図１６】
2008519485.tif 000044
【図１７】
2008519485.tif 000045
【図１８】
2008519485.tif 000046
【図１９】
2008519485.tif 000047
【図２０】
2008519485.tif 000048
【図２１】
2008519485.tif 000049
【図２２】
2008519485.tif 000050
【図２３】
2008519485.tif 000051
【図２４】
2008519485.tif 000052
【図２５】
2008519485.tif 000053
【図２６Ａ】
2008519485.tif 000054
【図２６Ｂ】
2008519485.tif 000055
【図２７Ａ】
2008519485.tif 000056
【図２７Ｂ】
2008519485.tif 000057
【図２７Ｃ】
2008519485.tif 000058
【手続補正書】
【提出日】平成19年8月16日(2007.8.16)
【手続補正１】
【補正対象書類名】明細書
【補正対象項目名】００６２
【補正方法】変更
【補正の内容】
【００６２】
図１３Ａは、従来の同期パルスを示し、同期パルスの後にグレイレベルパルスの通常のカラーバースト信号がある。図１３Ｂは、同期パルスの後に振幅がより大きいパルスが示されている。水平同期バックポーチ領域を高くするために異なるレベルのグレイパルスを組み合わせることは、３レベル同期パルスとも使用できる。これを３レベル同期パルスの正の部分に適用することができる（例えば、ｍ本のスキャンラインを、３レベル同期パルスの正の部分のピークホワイトレベルのＸ％（例えば、２０％）高くして、一方、ｎ本のスキャンラインを、他の３レベル同期パルスの正の部分のピークホワイトレベルのＹ％（例えば、６０％）高くする。もちろん、一部変更されていてもいなくても、３レベル同期パルスの後に１つ以上の（異なる）グレイパルスが挿入または付加されてもよい。その結果、３レベル同期テレビ信号が一部変更される。所定の３レベル同期パルス及び／または所定のバックポーチ領域の一部を一部変更すると、その結果としてコピープロテクション効果が得られる。
【手続補正２】
【補正対象書類名】明細書
【補正対象項目名】図面の簡単な説明
【補正方法】変更
【補正の内容】
【図面の簡単な説明】
【図１Ａ】ビデオを一部変更する本システムを示すブロック図である。
【図１Ｂ】一部変更された信号を受信するコンテンツコントロール装置を示すブロック図である。その信号は読み取られ、コマンド信号が準拠装置に送信される。
【図２】他のビデオチャネルを示す、図１Ａに示したシステムのブロック図である。
【図３】ＨＤＴＶビデオ信号の先行技術の波形を示す図である。
【図３Ｂ】ＨＤＴＶビデオチャネル（例えば、Ｙ、輝度）の先行技術の波形を示す図である。
【図３Ｃ】他のＨＤＴＶビデオチャネル（例えば、ＰｒまたはＰｂ、色差）の先行技術の波形を示す図である。
【図４Ａ】コンテンツコントロール及び／またはコピープロテクションに使用されるビデオチャネルへの一部変更を示す図である。
【図４Ｂ】コンテンツコントロール及び／またはコピープロテクションに使用される他のビデオチャネルへの一部変更を示す図である。
【図５Ａ】少なくともフロントポーチ及び／またはバックポーチの一部を低くしたさらに別の一部変更を示す図である。
【図５Ｂ】少なくともフロントポーチ及び／またはバックポーチの一部を低くしたさらに別の一部変更を示す図である
【図６Ａ】任意の正または負の（パルスの）長さ／振幅を有する３レベル疑似同期パルスの追加または挿入を示す図である。
【図６Ｂ】所定の１つ以上のラインの３レベル疑似同期に続いて挿入または追加された信号を示す図である。任意的に、その３レベル同期パルスに続く領域の一部は高く（lifted）または低くされる。また、任意的に、３レベル同期パルス後に追加または挿入された信号は変調される。
【図６Ｃ】３レベル同期信号に続いて挿入または追加された信号は振幅変調、位置変調及び／またはパルス幅変調されている。この３レベル同期信号は３レベル疑似同期パルス及び／または３レベル同期パルスを含む。任意的に、この３レベル同期信号に続く領域の一部は高く（lifted）または低くされる。
【図６Ｄ】１つ以上の３レベル疑似同期パルスがビデオラインに加えられるようすを示す。これらの（１つ以上の）３レベル疑似同期パルスに続いて、任意的に信号が追加または挿入される。任意的に信号が３レベル同期パルスの後に追加または挿入される。
【図６Ｅ】３レベル疑似同期パルスの挿入を示す。任意的に、３レベル同期パルスの後に信号が追加または挿入される。
【図７】３レベル同期の正パルスのレベルが変化する３レベル疑似同期パルスを示す。任意的に、３レベル疑似同期パルスに続く信号は変調される。また任意的に、３レベル疑似同期パルスに続く部分は高くまたは低くされる。
【図８】３レベル同期または３レベル疑似同期の負部分及び／または正部分の振幅、位置、及び／またはパルス幅が変調または変更されるようすを示す図である。
【図９Ａ】レベルが変更された３レベル同期パルスの正パルスの少なくとも一部を示す図である。このレベル変更は、例えば、下のブランキングレベルから上のブランキングレベルまで広がる。
【図９Ｂ】負パルスの後縁と正パルスの前縁の間のギャップを示す図である。このギャップはゼロの場合（zero  separation）も含む。また、正の部分もバックポーチ部分及び／またはアクティブビデオ部分に伸びてもよい。ギャップ電圧Ｇ１は、ブランキング（例えば、０ボルトより高い）または非ブランキングレベル電圧（例えば、正及び／または負の電圧）を前提とする。
【図９Ｃ】３レベル同期パルスの正の部分が狭められたところを示す図である。この部分はレベルが変化する。
【図９Ｄ】３レベル同期パルスの正の位置が狭められ、及び／またはシフトされたところを示す図である。
【図９Ｅ】３レベル同期パルスの正の部分の長さを伸ばしたところを示す図である。
【図９Ｆ】３レベル同期パルスの負の部分と正の部分の間のギャップを示す図である。正の部分の長さは伸ばしてもよい。
【図１０Ａ】先行技術の３レベル同期パルスを示す図である。
【図１０Ｂ】３レベル同期パルスの負の同期部分の位置をシフトした場合を示す図である。
【図１０Ｃ】３レベル同期パルスの負の同期部分を狭くした場合を示す図である。
【図１０Ｄ】３レベル同期パルスの負の同期部分を狭くした他の場合を示す図である。
【図１１Ａ】先行技術のビデオ信号を示す図である。
【図１１Ｂ】同期セパレータ回路の出力を示す図である。
【図１１Ｃ】３レベル同期パルスの正の部分のサンプル信号を示す図である。
【図１１Ｄ】バックポーチのサンプル信号を示す図である。
【図１１Ｅ】３レベル同期パルスの負の部分のサンプル信号を示す図である。
【図１２】典型的な先行技術の自動利得制御回路を示す図である。
【図１３Ａ】ビデオレコーダを不安定にする波形の一部変更を示す図である。
【図１３Ｂ】ビデオレコーダを不安定にする波形の一部変更を示す図である。
【図１４Ａ】ビデオ信号を一部変更する装置を示す図である。
【図１４Ｂ】１０８０ｉと７２０ｐのＨＤＴＶ信号に対する一部変更を示す図である。
【図１４Ｃ】１０８０ｉと７２０ｐのＨＤＴＶ信号に対する一部変更を示す図である。
【図１５Ａ】ビデオ信号を一部変更するさらに別の装置を示す図である。
【図１５Ｂ】ビデオ信号を一部変更するさらに別の装置を示す図である。
【図１５Ｃ】ビデオ信号を一部変更するさらに別の装置を示す図である。
【図１６】制御ビットを組み込むビデオ信号の一部変更を示す図である。
【図１７】信号の一部変更の少なくとも１つを使用するコンテンツ制御システムを示す図である。
【図１８】コンテンツ制御またはコピープロテクションの効果を破るまたは低下させるプロセッサを示す図である。
【図１９】コンテンツ制御またはコピープロテクションの効果を破るまたは低下させるプロセッサを示す図である。
【図２０】コンテンツ制御またはコピープロテクションの効果を破るまたは低下させるプロセッサを示す図である。
【図２１】コンテンツ制御またはコピープロテクションの効果を破るまたは低下させるプロセッサを示す図である。
【図２２】図１８乃至図２１に示したプロセッサの詳細を示す図である。
【図２３】図１８乃至図２１に示したプロセッサの詳細を示す図である。
【図２４】図１８乃至図２１に示したプロセッサの詳細を示す図である。
【図２５】図１８乃至図２１に示したプロセッサの詳細を示す図である。
【図２６Ａ】図１８乃至図２１に示したプロセッサの詳細を示す図である。
【図２６Ｂ】図１８乃至図２１に示したプロセッサの詳細を示す図である。
【図２７Ａ】先行技術のデータまたはコンテンツ制御信号を示す図である。
【図２７Ｂ】コンテンツ制御コマンドを改変する先行技術の信号の一部変更をした波形を示す図である。
【図２７Ｃ】コンテンツ制御コマンドを改変する先行技術の信号の一部変更をした波形を示す図である。
【国際調査報告】
2008519485.tif 000059
2008519485.tif 000060
2008519485.tif 000061
2008519485.tif 000062
2008519485.tif 000063